(57)【要約】【課題】  信号の受信状態が劣悪の無線環境下における着信判定技術であって、リンク確立に要する時間を短縮し、検出精度の向上と誤検出の発生とのトレードオフを容易に調整でき、また、装置の小型化，低廉化を促進でき、そして、呼び出し信号等の信号検出とキャリア周波数偏差の是正を可能にする。【解決手段】  無線フレームを受信する受信装置８における呼び出し信号の受信方法であって、受信装置８がフレームに含まれる無変調信号に基づいて呼び出し信号の着信を検出し、無変調信号の後に付加されたフレームタイミングを表す同期語データの有無を判定し、フレームに含まれる送信元装置および送信先装置を表す識別子データに基づいてフレームが自局宛又は他局宛を判定する。【選択図】  図７
2005130296.tif 000002
【特許請求の範囲】
【請求項１】
無線フレームを受信する受信装置であって、
該無線フレームに含まれる無変調信号と、該無変調信号の後に付加されたフレームタイミングを表す同期語データと、該無線フレームに含まれる送信元装置および送信先装置を表す識別子データとのうちの該無変調信号に基づいて呼び出し信号の着信とキャリア周波数偏差とを検出するラインエンハンサと、
該ラインエンハンサにおける該呼び出し信号の着信の検出により起動され、該無線フレームに含まれる該同期語データと該識別子データとに基づいて該無線フレームが自局宛又は他局宛を判定する復調判定部とをそなえて構成されたことを特徴とする、受信装置。
【請求項２】
該ラインエンハンサにて受信された該無線フレームに含まれる複数のシンボルの電力値を該複数のシンボルの個数に起因する時間中積分して得たシンボル電力値データを該復調判定部に入力するベクトル加算部を設け、
該ベクトル加算部が、
該同期語データおよび該識別子データと、送信固定パタンデータと同一の受信固定パタンデータとを加算した加算データを該復調判定部に入力するように構成されたことを特徴とする、請求項１記載の受信装置。
【請求項３】
該復調判定部が、
該ベクトル加算部において出力された該同期語データおよび該識別子データと該受信固定パタンデータとを乗じた複数の乗算データのうちの最大エネルギを有するシンボル内タイミングを、該識別子データの参照タイミングとして決定するように構成されたことを特徴とする、請求項２記載の受信装置。
【請求項４】
該復調判定部が、
該ベクトル加算部において出力された該同期語データおよび該識別子データについて、サンプリングタイミングのうちの信号判定時の相関値が最大のサンプリングタイミングを、該同期語データの参照タイミングとして決定するように構成されたことを特徴とする、請求項２記載の受信装置。
【請求項５】
無線フレームを受信する受信装置における、呼び出し信号の受信方法であって、
該無線フレームに含まれる無変調信号に基づいて該呼び出し信号の着信を検出し、
該無変調信号の後に付加されたフレームタイミングを表す第２同期語データの有無を判定し、
該無線フレームに含まれる送信元装置および送信先装置を表す識別子データに基づいて該無線フレームが自局宛又は他局宛を判定することを特徴とする、呼び出し信号の受信方法。
【発明の詳細な説明】
【技術分野】
【０００１】
本発明は、例えば、劣化した無線環境下における呼び出し信号の着信判定に用いて好適な、受信装置および呼び出し信号の受信方法に関する。
【背景技術】
【０００２】
移動通信システム（無線通信システム）の基地局および移動端末（移動局，携帯電話又は携帯端末等）は、いずれも、音声データ又はメイルデータ（電子メイルデータ）等の伝送データの種別又は伝送データの速度にかかわらず、安定した無線環境（通信環境）を必要としている。このため、劣化した無線環境下においても安定した通信品質を維持するために、移動通信システムは、多くの技術を用いている。特に、移動端末の待ち受け時の受信状態は、電波の届かない場所に置かれた場合、移動端末自身が覆われていたり、あるいはカバンの中に入れられた場合等、通常の無線環境における状態と比較して劣悪な場合が多い。従って、移動通信システムの仕様は、無線環境が劣化している場合においても、移動端末が、呼び出し信号（呼び出し情報データ）等の制御信号を正確に着信できるように規定されている。これにより、移動端末と基地局とは、いずれも、着信制御によって、着信判定に要する所要時間と信頼度の改善とを図るようになっている。
【０００３】
（Ｘ１）移動端末の構成例
図２２は移動端末のブロック図である。この図２２に示す移動端末１００は、例えば携帯電話機であって、ベースバンド処理部１０１，変調部１０２，無線処理部１１２，復調判定部（復調部）１１３をそなえて構成されている。
これにより、情報データ（送信データ）は、エンコーダ１０１ａにおいて符号化され、符号化データは、変調部１０２のマッピング部１０３において、Ｉ（In Phase）チャネルおよびＱ（Quadrature）チャネルに分離される。これらのＩチャネルデータ，Ｑチャネルデータは、波形整形フィルタ１０４ａ，１０４ｂにおいて、それぞれ、送信するためのタイミング調整および帯域制限され、Ｄ／Ａ（Digital to Analogue）変換部１０５ａ，１０５ｂにおいて、ディジタルデータからアナログデータに変換され、直交変調回路１０６において直交変調されて中間周波数信号（Intermediate Frequency）信号が出力される。
【０００４】
さらに、中間周波数信号は、無線処理部１１２の第１周波数変換部１０７ａにおいて、無線周波数信号（ＲＦ信号［Radio Frequency Signal］：以下、無線信号と称する。）にアップコンバートされ、この無線信号は高電力増幅器（ＨＰＡ：High Power Amplifier）１０８においてシステム仕様に規定された電力値に増幅されて、デュプレクサ１０９を介して、アンテナ１１０から送信される。ここで、デュプレクサ１０９は、無線信号をアンテナ１１０に出力するとともに、アンテナ１１０からの無線信号を復調判定部１１３に出力する共用器として機能している。
【０００５】
一方、デュプレクサ１０９からの無線信号は、低ノイズ増幅器（ＬＮＡ：Low Noise Amplifier）１１１において、受信ノイズが抑制された状態で増幅され、その増幅された無線信号は、第２周波数変換部１０７ｂにおいて、中間周波数信号にダウンコンバートされる。
この中間周波数信号は、復調判定部１１３の直交検波回路１１４において直交検波され、ＩチャネルおよびＱチャネルの各ベースバンド信号に変換され、変換されたベースバンド信号は、Ａ／Ｄ（Analogue to Digital）変換部１１５ａ，１１５ｂにおいて、いずれも、アナログデータからディジタルデータに変換される。そして、各ディジタルデータは、復調回路１１６において復調され、復調された符号化データは、ベースバンド処理部１０１のデコーダ１０１ｂにおいて情報データ（受信データ）が出力される。
【０００６】
（Ｘ２）キャリア周波数同期，ビット同期およびフレーム同期
正確な着信を確保するために、各移動端末１００は、基地局のダウンリンクのキャリア周波数に同期するよう常時動作している。すなわち、基地局のキャリア周波数が、全移動端末１００の基準キャリア周波数として機能している。なお、以下の説明において、同期とは特に断らない限り、タイミング同期，同期処理又は同期動作のそれぞれをも意味する。
【０００７】
さらに、移動端末１００は、ビット同期およびフレーム同期をも常時又は必要に応じて行なっており、これにより、移動端末１００は、基地局からの制御チャネルフレームに含まれる制御信号（例えば呼び出し信号）の位置を認識できるようになっている。
具体的には、キャリア周波数同期，ビット同期およびフレーム同期は、図２２に示す復調回路１１６に設けられた自動周波数制御部（ＡＦＣ：Automatic Frequency Control）１１６ａ，ビットタイミングリカバリ部１１６ｂおよびオープンアパーチャ（ウィンドウ）１１６ｃのそれぞれにおいて処理される。
【０００８】
ここで、オープンアパーチャ１１６ｃは、ビット同期の後に、フレームの先頭ビットをサーチするものであって、同期語データ（ＳＷ：Synchronous Word）を表すビットパタン（例えば00110011*0011）と同一のビットパタン（00110011*0011）を有するレジスタ等からなる。そして、復調回路１１６が同期語を検出すると、同期語検出を直交検波回路１１４に通知し、直交検波回路１１４は、基地局におけるフレームタイミングと同一タイミングで受信信号を検波するのである。
【０００９】
これにより、移動端末１００は、フレームに含まれる情報データおよび制御データを抽出できる。さらに、移動端末１００は、周期的に送信される移動端末１００自身宛のフレームに含まれる制御データを保持し、複数の制御データを結合させることにより、制御チャネル（共通チャネル）に挿入された情報データを得る。また、各移動端末１００は、主に電力消費を抑制するため、音声通信をしていない間、待ち受け状態（待ち受けモード）に移行し、制御チャネルを受信し続けている。
【００１０】
一般に、待ち受け時において、各移動端末１００は、基地局から全ての移動端末１００に対して送信される共通チャネルを常時監視している。また、移動端末１００は、共通チャネルに含まれる移動端末１００自身の呼び出し信号を受信すると、基地局との間において、リンク（通信リンク）を確立又は接続するためのメッセージ（例えば、リンク確立要求（Link Establish Request））を送受信し、その後、基地局との通話状態に移行する。
【００１１】
ここで、移動端末１００は、待ち受け時の間、上記のキャリア周波数に同期するための動作を続けている。従って、移動端末１００は、長い時間を費やして、基地局および移動端末１００間におけるキャリア周波数偏差（周波数のずれ又は周波数のシフト）を除去可能である。
加えて、移動端末１００は、呼び出し信号等を認識するために、フレーム周期の偏差等についても、長い時間を費やして、予め検出することが可能である。
【００１２】
また、移動端末１００の呼び出し信号の誤検出を防止するために、基地局は、移動端末１００に対する送信データに含まれる宛先データ（宛先情報）に、宛先データ以外のデータよりも強力な誤り訂正機能又は誤り検出機能を適用し通信を保護している。例えば、移動端末１００が誤りを検出した場合においても、移動端末１００は、基地局から再度送信される呼び出し信号を受信するようになっている。
【００１３】
このように、長い時間を費やせば、基地局がマスタとして機能し、各移動端末１００がスレーブとして機能することにより、同期タイミングが確保される。また、移動端末１００は、誤り訂正および誤り検出の各機能を用いることにより、信号検出を確実にすることができる。
（Ｘ３）トランシーバ通信におけるキャリア周波数同期
これに対して、トランシーバ機能を有する移動端末（以下、トランシーバ端末と称する。）を用いた移動通信システムにおいては、トランシーバ端末の一方がマスタとして固定されないことがある。
【００１４】
ここで、トランシーバ機能とは、特定の基地局又はマスタ局を介さずに、２台（又は３台以上）のトランシーバ端末が相互に直接通信するものであって、例えばトランシーバモードを有するＰＨＳ（Personal Handy-phone System）が知られている。このトランシーバモードにおいては、２台のＰＨＳが数種類のキャリア周波数のうちの無線環境が良好なキャリア周波数を選択して相互に通信する。
【００１５】
トランシーバ通信においては、一方のトランシーバ端末は、他方のトランシーバ端末との間においてリンクを確立するときにはじめて相互の周波数偏差を認識し、そのフレームタイミングを検出する。このため、２台のトランシーバ端末は、いずれも、キャリア周波数偏差および同期タイミングを補正している状態において相手側端末からの呼び出し信号を認識しなければならない。
【００１６】
このように、無線端末間にマスタおよびスレーブ機能がないトランシーバ端末は、リンク確立前にキャリア周波数偏差等を是正できず、さらに、信号検出と同期タイミングの是正とを同時に行なうことが困難である。
（Ｘ４）ラインエンハンサを用いた信号検出およびキャリア周波数偏差の是正
引き込み時間が長い場合および信号レベルの検出が困難なときは、ラインエンハンサが用いられる。このラインエンハンサは、呼び出し信号等の信号検出と、キャリア周波数偏差の是正（キャリア周波数偏差の引き込み）との両者を行なえる装置である。このラインエンハンサは、低いＣ／Ｎ比（Carrier-Noise Ratio：キャリア電力対ノイズ電力比）の無変調波についての信号有無の検出が可能である。研究論文（例えば非特許文献１）によると、ラインエンハンサは、キャリア周波数偏差の検出は比較的短時間で可能である。なお、以下、このキャリア周波数偏差の検出機能をＬＥＦＤ部（Line Enhancer with Frequency Detect）と表す。
【００１７】
また、以下、特に断らない限り、Ｃ／Ｎ比は受信部にて受信された無線信号についてのキャリア電力とノイズ電力との比を表し、後述するＳ／Ｎ比（Signal-Noise Ratio：信号対ノイズ比）は復調判定部にて復調された信号電力とノイズ電力との比を表す。
（Ｘ５）ビーコンを用いた信号検出およびキャリア周波数偏差の是正
また、移動端末１００は、基地局又は無線送信局から送信されるビーコンを受信することにより、信号検出とキャリア周波数偏差の是正とを行なうこともできる。ビーコンとは標識信号（モニタ信号，パイロット信号）であって、例えば基地局等が一定時間毎に送信する無線信号である。そして、基地局等は無変調波を送信するための別個のチャネルを設け、無変調波をビーコンとして送信する。移動端末の受信部は、ビーコン専用のＬＥＦＤ部だけを設け、ビーコンの受信により、信号検出およびキャリア周波数の偏差を是正するようにもできる。
【００１８】
（Ｘ６）周波数弁別器および平滑フィルタを用いた信号検出およびキャリア周波数偏差の是正
ＬＥＦＤ部に代替して、低いＣ／Ｎ比の無線環境下において無変調波の周波数引き込みとその引き込み結果とを用いた信号検出が可能である。具体的には、移動端末１００の復調部１１３に、周波数弁別器とその出力を平滑化する平滑フィルタとを設け、平滑フィルタが受信信号を長時間積分することによってキャリア周波数偏差を検出するのである。そして、移動端末１００は、得られたキャリア周波数偏差の情報について分散（分散値）を計算し、この分散値が所定範囲内である場合は、同一周波数を受信していると判定する。つまり、移動端末１００は、分散値に基づいて信号検出又は非検出を判定することにより、無変調波の周波数引き込みとその引き込み結果とを用いて信号検出する。
【非特許文献１】Naokazu HAMAMOTO, Yukio HASHIMOTO, Toshiyuki IDE, Makoto SAKASAI, Teruo TEJIMA, "Signal Detection and Frequency Estimation Method for LEO Satellite Communication Systems," Technical Report of IEICE, Vol.94, No.２99, pp.1-8, Oct. 1994.
【発明の開示】
【発明が解決しようとする課題】
【００１９】
しかしながら、トランシーバ通信の場合、各トランシーバ端末は、リンク確立を失敗する確率が高くならないように、十分なビット長（又は十分な時間長）を有する周波数同期用の参照信号又はフレームタイミングの同期語を必要とし、この結果、リンク確立（リンク接続）のための時間が長くなるという課題がある。
また、呼び出し信号の受信のための誤り検出に関し、トランシーバ端末は、検出した誤りが、誤り検出用のビットパタン又は同期語パタン等のデータ列の単なる誤りであるか、又は周波数および同期タイミングに起因する誤りであるかを判断することができない。このため、トランシーバ端末は、再度、最初からのリンク確立動作を要し、リンク確立に要する時間がさらに、増加する。
【００２０】
さらに、多くのトランシーバ端末は、例えば呼び出し信号等の検出精度を向上させるために、フレームタイミングを表す同期語の検出と、この同期語の後に位置する発信ＩＤ（Identification：トランシーバ端末自身の識別子）の検出と、例えばＣＲＣ（Cyclic Redundancy Code：巡回符号）等による誤り検出との各検出結果を単独又は併用することにより、検出精度を高くして認識することもできる。なお、この場合、各検出のうちの同期語検出による検出結果の特性が支配的である。
【００２１】
また、トランシーバ端末を含めた移動端末１００は、常時又は必要に応じて、同期語をサーチするようにもできる。この場合、無線回線にて生じた誤りによって正しく同期語を検出できないことを防止するために、移動端末１００がオープンアパーチャの許容誤り数を大きく設定すると、ノイズであって同期語でない部分において、誤検出の発生確率が高くなる。
【００２２】
従って、検出精度の向上と誤検出の発生との両者がトレードオフ（相反）の関係になって、両者を救出するための許容誤り数を決定することが困難になる。また、検出又は非検出のいずれかであるかを、２値判定（硬判定）のほかに、検出又は非検出の確からしさを複数の段階（レベル）を用いて表す軟判定によって同期語検出する場合においても、各段階の閾値の設定は硬判定と同様のトレードオフを調整しなければならないという課題がある。
【００２３】
一方、同期語の検出又は非検出の判定機能に特化した判定回路又は判定用ＩＣ（Integrated Circuit）を移動端末（又はトランシーバ端末）１００に設けることは、端末サイズの小型化，処理負荷および消費電力の抑制等の観点からは不利であり、かつ低価格の移動端末１００等を提供することは困難という課題がある。
これらの課題に対し、上記のＬＥＦＤ部だけを用いた検出は、宛先データの抽出等を行なえず、上記の研究論文に記載された呼び出し信号用の復調部１１３を、通話データ等の復調部とは別個に設けなければならない。加えて、ＬＥＦＤ部は、複数の受信チャネルを要するので、周波数利用効率を向上させることができない。
【００２４】
さらに、ビーコンが用いられる場合、移動端末１００は、送信機能および受信機能の両者がともに複数のチャネル動作を要する。このため、端末の低廉化を促進できず、また、周波数利用の効率化を図れない。
加えて、移動端末１００が周波数弁別器と平滑フィルタとを用いて信号検出する方法は、非常に低いＣ／Ｎ比の無線環境下における動作が困難である。また、信号検出に要する時間が受信状態によって変動し、周波数弁別器の動作は長時間を要し、さらに、信号検出に要する時間差が大きくなり、装置構成の簡便化を図れない。
【００２５】
従って、従来、基地局を介さずに移動端末の呼び出し信号を受信する方法は、上記の各課題があった。
本発明は、このような課題に鑑み創案されたもので、信号の受信状態が劣悪の無線環境下における着信判定技術であって、リンク確立に要する時間を短縮し、検出精度の向上と誤検出の発生とのトレードオフを容易に調整でき、また、移動端末および基地局等の装置を小型化でき、かつ装置価格の低廉化を促進でき、そして、ラインエンハンサを用いて呼び出し信号等の信号検出とキャリア周波数偏差の是正とが可能な、受信装置および呼び出し信号の受信方法を提供することを目的とする。
【課題を解決するための手段】
【００２６】
このため、本発明の受信装置は、無線フレームを受信する受信装置であって、無線フレームに含まれる無変調信号と、無変調信号の後に付加されたフレームタイミングを表す同期語と、無線フレームに含まれる送信元装置および送信先装置を識別する発着信ＩＤデータとのうちの無変調信号に基づいて呼び出し信号の着信とキャリア周波数偏差とを検出するラインエンハンサと、ラインエンハンサにおける呼び出し信号の着信の検出により起動され、無線フレームに含まれる同期語と識別子データとに基づいて無線フレームが自局宛又は他局宛を判定する復調判定部とをそなえて構成されたことを特徴としている（請求項１）。
【００２７】
また、ラインエンハンサにて受信された無線フレームに含まれる複数のシンボルの電力値を複数のシンボルの個数に起因する時間中積分して得たシンボル電力値データを復調判定部に入力するベクトル加算部を設け、このベクトル加算部が、同期語データおよび識別子データと、送信固定パタンデータと同一の受信固定パタンデータとを加算した加算データを復調判定部に入力するように構成されてもよい（請求項２）。
【００２８】
さらに、復調判定部が、ベクトル加算部において出力された同期語データおよび識別子データと受信固定パタンデータとを乗じた複数の乗算データのうちの最大エネルギを有するシンボル内タイミングを、識別子データの参照タイミングとして決定するように構成されてもよく（請求項３）、又はベクトル加算部において出力された同期語データおよび識別子データについて、サンプリングタイミングのうちの信号判定時の相関値が最大のサンプリングタイミングを、同期語データの参照タイミングとして決定するように構成されてもよい（請求項４）。
【００２９】
そして、本発明の呼び出し信号の受信方法は、無線フレームを受信する受信装置における、呼び出し信号の受信方法であって、無線フレームに含まれる無変調信号に基づいて呼び出し信号の着信を検出し、無変調信号の後に付加されたフレームタイミングを表す第２同期語の有無を判定し、無線フレームに含まれる送信元装置および送信先装置を表す識別子データに基づいて無線フレームが自局宛又は他局宛を判定することを特徴としている（請求項５）。
【発明の効果】
【００３０】
本発明の受信装置および呼び出し信号の受信方法によれば、以下に示す利点がある。
（１）本発明の受信装置によれば、無線フレームに含まれる無変調信号と、無変調信号の後に付加されたフレームタイミングを表す同期語と、無線フレームに含まれる送信元装置および送信先装置を表すＩＤデータとのうちの無変調信号に基づいて呼び出し信号の着信とキャリア周波数偏差とを検出するラインエンハンサと、 ラインエンハンサにおける呼び出し信号の着信の検出により起動され、無線フレームに含まれる同期語とＩＤデータとに基づいて無線フレームが自局宛又は他局宛を判定する復調判定部とをそなえて構成されているので、同期語検出のオープンアパーチャ動作が少なくともノイズだけの時には生じない。このため、同期語は無変調波又はビットタイミングリカバリに対する相関性を低くでき、許容誤り数を大きくしても誤検出を大幅に防止できる。さらに、受信装置における同期語の検出タイミングの精度が改善されるので、シンボルタイミングの再生において、シンボルタイミングの精度が向上する（請求項１）。
【００３１】
（２）また、ラインエンハンサにて受信された無線フレームに含まれる複数のシンボルの電力値を複数のシンボルの個数に起因する時間中積分して得たシンボル電力値データを復調判定部に入力するベクトル加算部を設け、このベクトル加算部が、同期語データおよび識別子データと、送信固定パタンデータと同一の受信固定パタンデータとを加算した加算データを復調判定部に入力するように構成することもでき、このようにすれば、ラインエンハンサは、低いＣ／Ｎ比の無変調波について信号の有無を判定可能であり、また、精度を維持した状態で検出できる。さらに、キャリア周波数偏差を比較的短時間で検出できる。これらに加えて、受信装置が、受信データから抽出された１又は複数のビットからなる１シンボルに、既知の固定パタンを乗じて得た１又は複数のシンボル（１又は複数のビット）を受信し、この乗算後のデータを用いてシンボルタイミングを再生するので安定した受信精度が得られる（請求項２）。
【００３２】
（３）そして、復調判定部は、ＩＤデータの参照タイミングとして次のＡ，Ｂのように決定できる。
Ａ．ベクトル加算部において出力された同期語および発着信ＩＤと受信固定パタンデータとを乗じた複数の乗算データのうちの最大エネルギを有するシンボル内タイミング。
Ｂ．ベクトル加算部において出力された同期語および発着信ＩＤについて、サンプリングタイミングのうちの信号判定時の相関値が最大のサンプリングタイミングを、同期語の参照タイミング。
【００３３】
これにより、ＡおよびＢのいずれを用いて決定した場合においても、ベクトル加算によるＳ／Ｎ比の改善後にシンボル内タイミングが決定されるので、タイミング検出精度が向上する。そのうえ、Ａによれば、シンボル中心におけるＳ／Ｎ比が改善され、また、Ｂによれば、同期語の長さの分だけさらにベクトル加算することと等価なので一層検出精度の向上を図れる（請求項３，４）。
【００３４】
（４）本発明の呼び出し信号の受信方法によれば、無線フレームに含まれる無変調信号に基づいて呼び出し信号の着信を検出し、無変調信号の後に付加されたフレームタイミングを表す第２同期語の有無を判定し、無線フレームに含まれる送信元装置および送信先装置を表すＩＤデータに基づいて無線フレームが自局宛又は他局宛を判定するので、専用の受信回路を用いずに、通話時に想定しているよりも受信状態の悪い場合であっても、呼び出し信号の着信を認識し、周波数を引き込み、呼び出しフレームタイミングを検出し、シンボルタイミングとなるナイキスト点を検出し、宛先情報の信頼性を向上させることが可能となり、総じて呼び出し信号の受信性能を向上させることができる（請求項５）。
【００３５】
（５）本発明の送信装置によれば、フレームタイミングを表す同期語を少なくとも含むデータを送信シンボルにマッピングするマッピング部と、マッピング部にてマッピングされた送信シンボルの無線フレーム内部における位置を認識し、送信シンボルの出力又は停止を表すオンオフ信号を出力するデータ位置認識部と、データ位置認識部から出力されるオンオフ信号に基づいて生成した無変調信号の後に、マッピング部にてマッピングされた第１同期語を変調した同期語変調信号を付加した変調信号を出力する変調部と、変調部から出力される変調信号を含む無線フレームを送信する送信部とをそなえて構成されているので、受信装置が積分演算した後において同期語を検出でき、かつ同期語検出部の処理量が増加しないので積分演算回路の増設により受信性能の改善が可能となる。さらに、通話時と呼び出し受信時との各シンボル速度を同一にすることにより必要な受信環境変化に対して柔軟、かつ共通の受信回路で例えばキャリア周波数偏差等の処理が可能となる。
【００３６】
（６）本発明の送受信装置によれば、フレームタイミングを表す第１同期語を少なくとも含むデータを送信シンボルにマッピングするマッピング部と、マッピング部にてマッピングされた送信シンボルの第１無線フレーム内部における位置を認識し、送信シンボルの出力又は停止を表すオンオフ信号を出力するデータ位置認識部と、データ位置認識部から出力されるオンオフ信号に基づいて生成した第１無変調信号の後に、マッピング部にてマッピングされた第１同期語を変調した同期語変調信号を付加した第１変調信号を出力する変調部と、変調部から出力される第１変調信号を含む第１無線フレームを送信する送信部とをそなえるとともに、第２無線フレームに含まれる第２無変調信号と、第２無変調信号の後に付加されたフレームタイミングを表す同期語と、第２無線フレームに含まれる送信元装置および送信先装置を表すＩＤデータとのうちの無変調信号に基づいて呼び出し信号の着信とキャリア周波数偏差とを検出するラインエンハンサと、ラインエンハンサにおける呼び出し信号の着信の検出により起動され、第２無線フレームに含まれる同期語とＩＤデータとに基づいて第２無線フレームが自局宛又は他局宛を判定する復調判定部とをそなえて構成されているので、シンボル内での参照点検出の高信頼化が図れる。また、通話よりも受信環境が悪い場合において、送信電力を大きくせずに、また、呼び出し受信専用の受信回路を用いずに悪い受信環境での呼び出し送受信が可能となる。
【００３７】
（７）本発明の移動通信システムによれば、送信装置が、フレームタイミングを表す第１同期語を少なくとも含むデータを送信シンボルにマッピングするマッピング部と、マッピング部にてマッピングされた送信シンボルの第１無線フレーム内部における位置を認識し、送信シンボルの出力又は停止を表すオンオフ信号を出力するデータ位置認識部と、データ位置認識部から出力されるオンオフ信号に基づいて生成した第１無変調信号の後に、マッピング部にてマッピングされた第１同期語を変調した同期語変調信号を付加した第１変調信号を出力する変調部と、変調部から出力される第１変調信号を含む第１無線フレームを送信する送信部とをそなえるとともに、受信装置が、第２無線フレームに含まれる第２無変調信号と、第２無変調信号の後に付加されたフレームタイミングを表す同期語と、第２無線フレームに含まれる送信元装置および送信先装置を表すＩＤデータとのうちの無変調信号に基づいて呼び出し信号の着信とキャリア周波数偏差とを検出するラインエンハンサと、ラインエンハンサにおける呼び出し信号の着信の検出により起動され、第２無線フレームに含まれる同期語とＩＤデータとに基づいて第２無線フレームが自局宛又は他局宛を判定する復調判定部とをそなえて構成されているので、移動端末と基地局とは、いずれも、着信制御によって、着信判定に要する所要時間と信頼度の改善とを図れる。
【００３８】
（８）復調判定部が、ラインエンハンサにて検出された無線フレームについて同期語の有無を判定する同期語判定部と、同期語判定部にて同期語が有りと判定された無線フレームに含まれるＩＤデータが自局宛又は他局宛を判定するＩＤ判定部とをそなえて構成することもでき、このようにすれば、受信信号の電力値変動が大きい無線環境においても、信号検出が可能となる。
【００３９】
（９）復調判定部は、さらに、ラインエンハンサにて検出されたキャリア周波数偏差に基づいてキャリア周波数を補正する補正部をそなえて構成することもでき、このようにすれば、例えば同期語シンボル長を長くすることで、フレーム同期検出確率の低下を防止できる。
（１０）ベクトル加算部が、ラインエンハンサにて受信された無線フレームに起因する中間信号の出力タイミングを調整するように構成してもよく、このようにすれば、キャリア周波数偏差を比較的短時間で検出でき、信号レベルの検出が困難な場合および引き込み時間が長い場合において、呼び出し信号を正確に受信できる。
【００４０】
（１１）ベクトル加算部は、同期語および発着信ＩＤと、送信固定パタンデータと同一の受信固定パタンデータとを加算した加算データを復調判定部に入力するように構成することもでき、このようにすれば、低いＣ／Ｎ比における呼び出し信号の受信が、専用の受信回路等を用いることなく可能となる。
（１２）マッピング部は次のＣ〜Ｅのように構成することもできる。
【００４１】
Ｃ．同期語と、送信元装置および送信先装置を表すＩＤデータとを含むデータを送信シンボルにマッピングするとともに、データ位置認識部が、マッピング部にてマッピングされた送信シンボルのうちの所望の送信シンボルについて出力又は停止を表すオンオフ信号を出力する構成。このようにすれば、呼び出し情報自身の高信頼化が図れる。
Ｄ．同期語と情報データとを含むデータを送信シンボルにマッピングするとともに、変調部が、マッピング部にてマッピングされた送信シンボルを変調して変調信号を含む無線フレームを出力する構成。このようにすれば、待ち受け信号の受信感度が高まる。
【００４２】
Ｅ．マッピング部が、同期語と情報データとを、送信装置自身に設けられた保持部又は送信装置の外部から取得する構成。このようにすれば、ハードウェアの利用効率化が図れ、送信装置の価格の低廉化を促進できる。
（１３）変調部が、変調シンボルに、変調方式に応じた固定パタンデータを乗じて１又は複数の変調信号を出力するように構成されてもよく、このようにすれば、その変調信号を受信する受信装置が、複数の変調シンボル点のうちの１番大きい電力が得られるタイミングを選択し、また、この処理を繰り返して積分判定するので、統計的な確率を向上させ、タイミング検出の精度が向上する。
【００４３】
（１４）変調部は、変調シンボル（ａ，ｂ）に、固定パタンデータ（Ａ，Ｂ）を乗じて１又は複数の変調信号［（ａ，ｂ）＊Ａ＋（ａ，ｂ）＊Ｂ］を出力するように構成されてもよく、このようにすれば、信号平面における積分演算後に電力値を比較でき、また、ノイズを打ち消し合うことができるのでＳ／Ｎ比を改善できる。
（１５）受信装置は、ラインエンハンサにて受信された第２無線フレームに含まれる複数のシンボルの電力値を複数のシンボルの個数に起因する時間中積分して得たシンボル電力値データを復調判定部に入力するベクトル加算部をそなえ、ベクトル加算部が、ラインエンハンサにて受信された第２無線フレームに起因する中間信号の出力タイミングを調整するとともに、同期語および発着信ＩＤと、送信固定パタンデータと同一の受信固定パタンデータとを加算した加算データを復調判定部に入力するように構成されてもよく、このようにすれば、受信装置の復調部は、無変調信号の検出前は動作を停止し続けてその検出後にはじめて受信装置の復調部が起動されるので消費電力を改善できる。
【００４４】
（１６）本発明の呼び出し信号の送信方法によれば、無線フレームを送信する送信装置９における、呼び出し信号の送信方法であって、フレームタイミングを表す同期語を少なくとも含むデータを送信シンボルにマッピングし、マッピングされた送信シンボルの無線フレーム内部における位置を認識し送信シンボルの出力又は停止を表すオンオフ信号を出力し、出力されたオンオフ信号に基づいて生成した無変調信号の後に、マッピングされた同期語を変調した同期語変調信号を付加した変調信号を出力し、出力された変調信号を含む無線フレームを送信するので、移動端末が電波の届かない場所に置かれた場合、移動端末自身が覆われていたり、あるいはカバンの中に入れられた場合においても、移動端末は、呼び出し信号を正確に着信でき、これにより、移動端末と基地局とは、いずれも、着信制御によって、着信判定に要する所要時間と信頼度の改善とを図られる。
【００４５】
（１７）そして、本発明の受信装置によれば、専用の受信部を用いずに、通話時に想定しているよりも受信状態の悪い場合であっても、呼び出し信号の着信を認識し、周波数偏差を引き込み、呼び出しフレームタイミングを検出し、シンボルタイミングとなるナイキスト点を検出し、宛先情報の信頼性を向上させることが可能となり、総じて呼び出し信号の受信性能を向上させることができる。
【発明を実施するための最良の形態】
【００４６】
以下、図面を参照して本発明の実施の形態を説明する。
（Ａ）本発明の第１実施形態の説明
図１は本発明の第１実施形態に係る移動通信システムの構成図である。この図１に示す移動通信システム８０は、移動端末７０に対して無線フレームを送信する送信装置をそなえた基地局７１と、基地局７１が送信した無線フレームを受信する受信装置をそなえた移動端末７０とを有する。
【００４７】
この移動通信システム８０は、音声データ，電子メイルデータ（メイルデータ），ｗｅｂサイトからのテキストデータ，画像データおよび各種のファイルデータ等を送受信するものであって、基地局７１，複数の移動端末７０，基地局制御装置７３ａ，回線・パケット交換機７３，公衆網７４，加入者端末７４ａ，インターネット７５およびサーバ７５ａをそなえて構成されている。
【００４８】
なお、移動通信システム８０ａ，８０ｂ，８０ｃは、それぞれ、後述する変形例，第２実施形態，第３実施形態において説明する。
（１）移動通信システム８０の構成
（１−１）基地局７１，移動端末７０等
基地局７１は、本発明の送信装置を有し移動端末７０との間において無線信号を送受信するものであり、複数の移動端末７０はいずれも携帯電話，携帯端末等である。これらの基地局７１，移動端末７０の構成については後述する。
【００４９】
また、公衆網７４は加入者電話網であり、インターネット７５はパケットデータを転送する網である。さらに、加入者端末７４ａは電話通信する固定端末又は移動端末であり、サーバ７５ａはｗｅｂコンテンツの提供又はメイル配信等を行なうパーソナルコンピュータ（パソコン）又はワークステーションである。そして、基地局制御装置７３ａは基地局７１を制御するものであり、回線・パケット交換機７３は基地局制御装置７３ａと公衆網７４およびインターネット７５とのそれぞれとメイルデータ等を送受信するものである。
【００５０】
（１−２）無線アクセス方式
基地局７１と移動端末７０との間の無線アクセス方式は、無線信号を無線フレームにより送受信する所望のアクセス方式を用いることができ、例えばＦＤＭＡ（Frequency Division Multiple Access：周波数分割多元接続），ＴＤＭＡ（Time Division Multiple Access：時分割多元接続）およびＣＤＭＡ（Code Division Multiple Access：符号分割多元接続）のいずれのアクセス方式を用いることができる。
【００５１】
（１−３）無線環境（通信環境）
本発明の移動通信システム８０の基地局７１および移動端末７０は、いずれも、伝送データの種別と伝送データの速度とにかかわらず、安定した通信品質および無線環境を必要としている。ここで、伝送データの種別とは、例えばメイルデータ等の伝送量が少ないデータ、又は映像データ等の伝送量が多いデータ等の主に伝送量の大きさに基づいて分類されるものである。
【００５２】
移動端末７０と基地局７１との間の通信は、常時、その受信品質が保証されているわけではない。特に、移動端末７０の待ち受け時の受信状態は、電波の届かない場所にて移動端末７０がカバーにより覆われている状態であり、あるいはカバンの中に入れられた場合等、通常通話時に比べて劣悪な場合が多い。以下の説明においては、呼び出し信号の受信状態が、通常の通話時よりも劣悪で低いＣ／Ｎ比であるものとする。
【００５３】
（１−４）通話用フレームおよび呼び出し用フレーム
本発明の移動通信システム８０において、送受信されるフレームの種類は、通話用フレームと呼び出し用フレームとの２種類のほかに、プロトコルが規定する例えば制御用のフレームを用いることができる。ここで、通話用フレームは無線リンクチャネルが確立された状態において送受信されるものであって、移動端末７０と基地局７１とが音声通話データ又はメイルデータ等の情報データを送受信するものである。一方、呼び出し用フレームは移動端末７０と基地局７１との間に無線リンクチャネルが確立されていない状態において、基地局７１が移動端末７０に対して送信又は報知する制御フレームである。
【００５４】
また、後述する図５（ａ）に示す通話用フレームは、同期語（ＳＷ）および情報データを含む。図５（ｂ）に示す呼び出し用フレームは無変調信号，同期語および発着信ＩＤ（送信元装置および送信先装置を表す識別子データ）を含む。
（１−５）キャリア周波数同期
各移動端末７０は、基地局７１が送信する１又は複数種類のキャリア周波数と同一の１又は複数の周波数を発振出力する発振器（局部発振器）を設けているが、この発振周波数はキャリア周波数と偏差が生じることがある。このため、移動通信システム８０において、各移動端末７０は、基地局７１が送信するキャリア周波数に同期するよう常時動作している。そして、各移動端末７０は、発振周波数がキャリア周波数からずれると、発振周波数を補正する。
【００５５】
従って、基地局７１がマスタとして機能し、各移動端末７０がスレーブとして機能し、同期タイミングが確保される。
（１−６）着信制御
以下、移動端末７０が、通常の情報受信回路（情報受信装置）を用いて呼び出し信号を受信する方法について述べる。移動通信システム８０の仕様は、無線環境が劣化している場合においても、移動端末７０が、呼び出し信号（呼び出し情報データ）等の制御信号を正確に着信でき、かつ安定した通信品質を維持するように規定されている。そして、移動端末７０と基地局７１とは、いずれも、着信制御によって、着信判定に要する所要時間と信頼度の改善とを図るようになっている。
【００５６】
（２）基地局７１
図２は本発明の第１実施形態に係る基地局７１のブロック図である。この図２に示す基地局７１は、公衆網７４側の基地局制御装置７３ａからの情報データを無線信号に変換出力し、また、移動端末７０からの無線信号を復調しその復調データを基地局制御装置７３ａに出力するものであって、エンコーダ１０１ａ，送信装置９，高電力増幅器（ＨＰＡ）１０８，アンテナ１１０ａ，デュプレクサ１０９，受信処理部１１７，デコーダ１０１ｂをそなえて構成されている。
【００５７】
ここで、エンコーダ１０１ａは、入力された情報データを符号化するものであり、また、送信装置９は無線フレームを送信するものである。高電力増幅器１０８は送信装置９からの無線信号を増幅するものであり、アンテナ１１０ａは無線信号を送信するものである。デュプレクサ１０９は、無線信号をアンテナ１１０ａに出力するとともに、アンテナ１１０ａからの無線信号を、後段に設けられた受信復調処理を行なう受信処理部１１７に出力する共用器である。デコーダ１０１ｂは受信処理部１１７にて復調された符号化データから情報データ（受信データ）を復号したデータを出力するものである。
【００５８】
（２−１）送信装置９
図３は本発明の第１実施形態に係る送信装置のブロック図である。この図３に示す送信装置９は、変調部１０と送信部１６ａとをそなえて構成されており、また、通常の通信用フレームと呼び出し用フレームとの各処理を共用して行なうようになっている。
（２−１−１）変調部１０
変調部１０は、情報データ（音声データ等），同期語データＳＷ，発着信ＩＤデータおよび制御データ等を含むデータを送信シンボルにマッピングして変調した変調信号と、変調信号（送信すべき情報データを変調した変調信号）を含まない無変調信号とを出力するものであって、変調信号および無変調信号生成部（変調信号／無変調信号生成部：ＭＯＤ）１０ａと、マッピング部１０ｂと、フレームカウンタ（データ位置認識部）１０ｃとをそなえて構成されている。
【００５９】
ここで、マッピング部１０ｂは、フレームタイミングを表す同期語を含むデータを送信シンボルにマッピングするものであり、情報データ，無線フレームに挿入するための発着信ＩＤデータおよび同期語データが入力される。また、マッピング部１０ｂは、同期語データと情報データとを、送信装置９の外部から取得するようになっている。
この情報データは、例えば音声，テキストデータおよび画像等のベースバンド処理されたデータである。挿入用の発信ＩＤは、送信装置９自身の発信ＩＤと、後述する受信装置８の着信ＩＤとを含む。これらの発信ＩＤおよび着信ＩＤ（発着信ＩＤ）は、例えば複数のビットにより表されたものである。さらに、同期語はフレームタイミングを表すものであり、例えば（00110011*0011）のようなビットパタンにより表される。なお、発着信ＩＤおよび同期語の各表現方法は種々の方法を用いることができる。
【００６０】
これにより、マッピング部１０ｂに入力された情報データ等の各種データは、信号平面（複素位相平面又は複素平面）に割り当てる。
（２−１−２）変調部１０の変形態様
変調部１０の変形態様について、図４（ａ），図４（ｂ）を参照して２種類を説明する。なお、図４（ａ），図４（ｂ）に示すもので、上述したものと同一符号を有するものはそれらと同一のものを表す。
【００６１】
最初に、変調部１０に入力される同期語、情報データおよび発着信ＩＤのうちの同期語と発着信ＩＤとは、変調部１０の内部に設けたメモリに保持することもできる。
図４（ａ）は本発明の第１実施形態に係る変調部の第２の変形構成を示すブロック図である。この図４（ａ）に示す変調部４１は、上記の変調部１０と同一機能を有し、同期語を保持する同期語メモリ３３ａと、挿入する発着信ＩＤを保持する挿入ＩＤメモリ３３ｂとを設けており、これらの同期語メモリ３３ａと挿入ＩＤメモリ３３ｂとが協働することにより送信装置９自身に設けられた保持部３３として機能している。そして、マッピング部１０ｂは、この保持部３３から、同期語および発着信ＩＤの各データを読み出して送信シンボルに挿入するのである。なお、これらの同期語メモリ３３ａ，挿入ＩＤメモリ３３ｂは、いずれも、送信装置９の所望のモジュールに設けてもよく、また、データ更新用のポート，ピン等を設けて、オペレータ又は外部入力装置（図示省略）から、データを直接書き込むようにもできる。
【００６２】
これにより、変調部４１を実現するハードウェアをコンパクトにでき、回路の利用効率化が図れ、さらに、送信装置９の価格の低廉化を促進できる。
また、移動通信システム８０が、ＣＤＭＡ方式を用いる場合の変調部の一例を図４（ｂ）に示す。図４（ｂ）は本発明の第１実施形態に係る拡散変調部のブロック図の一例であって、この図４（ｂ）に示す変調部４２は、マッピング部１０ｂの出力側に、ミキサ（乗算器）１３ａ，加算器１５を設け、また、マッピング部１０ｂから出力されるＩ，Ｑのチャネル信号のそれぞれに乗算するための拡散符号出力部４２ａ，４２ｂを設けている。なお、図４（ｂ）に示すもので上述したものと同一符号を有するものは同一又は同一機能を有し、また、変調部４２は上述の変調部１０と同様の機能をも有する。
【００６３】
次に、フレームカウンタ１０ｃ（図３参照）は、マッピング部１０ｂにてマッピングされた送信シンボルの無線フレーム内部における位置を認識し、送信シンボルの出力又は停止を表すオンオフ信号を出力するものであって、データ位置認識部１０ｃとして機能している。データ位置を認識する理由は、無線フレームに無変調信号を挿入するためである。
そして、マッピング部１０ｂが、同期語と、送信元装置および送信先装置を表すＩＤデータとを含むデータを送信シンボルにマッピングするとともに、フレームカウンタ１０ｃが、マッピング部１０ｂにてマッピングされた送信シンボルのうちの例えば情報データが挿入された部分の送信シンボルについて出力又は停止を表すオンオフ信号を出力する。
【００６４】
具体的には、フレームカウンタ１０ｃは、複数のビットからなるレジスタを設け、複数のビットからなる情報データ，同期語および発着信ＩＤを無線フレームに挿入する毎に、その情報データ等のビット数分をレジスタにインクリメントする。また、ビット数は、少なくとも１個の無線フレームに含まれるビット数以上をカウント可能な個数を要する。
従って、フレームカウンタ１０ｃは、常時、無線フレームに挿入するデータの位置を認識できる。なお、フレームカウンタ１０ｃのカウンタ機能は種々の方法を用いることができる。
【００６５】
次に、変調信号／無変調信号生成部（ＭＯＤと表示されたもの）１０ａは、フレームカウンタ１０ｃから出力されるオンオフ信号に基づいて生成した無変調信号の後に、マッピング部１０ｂにてマッピングされた第１同期語を変調した同期語変調信号を付加した変調信号を出力するものである。そして、フレームカウンタ１０ｃからのオン又はオフ信号に基づいて、変調信号／無変調信号生成部１０ａは、変調波と無変動波（無変調波）とのうちの一方を切り替え出力する。
【００６６】
この変調信号／無変調信号生成部１０ａは、マッピング部１０ｂからの信号を例えば位相変調により変調する。この位相変調の一例は、ＰＳＫ，ＱＰＳＫ，８−ＰＳＫ等の２のべき乗（２，４，８…）個のシンボルを有する多値位相変調である。また、位相変調は、ＦＳＫ（Frequency Shift Keying）の１種であるＭＳＫ（Minimum Shift Keying）又はガウシャンフィルタを設けたＧＭＳＫ等、あるいはＱＡＭ（Quadrature Amplitude Modulation：直交振幅変調）等を用いることもできる。これにより、送信装置９は種々の移動通信システムに対応でき、汎用性が向上する。
【００６７】
また、無変動波は、ＱＰＳＫ等の被変調信号が一定のとき（変調信号が出力されていないとき）における無変調信号と、π／４シフトＱＰＳＫ（Quadrature Phase Shift Keying）等の変調信号が出力されていないときに疑似変調信号との両方を意味する。従って、本発明の送信装置９は、変調方式にかかわらず、無変調波と変調波とを切り替えて無線信号を送信できる。
【００６８】
これにより、マッピング部１０ｂが、同期語と情報データとを含むデータを送信シンボルにマッピングするとともに、変調信号／無変調信号生成部１０ａが、マッピング部１０ｂにてマッピングされた送信シンボルを変調して変調信号を含む無線フレームを出力する。
なお、変調信号／無変調信号生成部１０ａはマッピングされたシンボルを変調出力するもの（狭義）であり、また、変調部１０（又は４１）は入力された情報データ等を変調した変調信号と無変調信号とを出力するもの（広義）でもあってマッピング部１０ｂおよびフレームカウンタ１０ｃを含む。
【００６９】
（２−１−３）送信部１６ａ
次に、送信部１６ａは、変調信号／無変調信号生成部１０ａから出力される変調信号を含む無線フレームを送信するものである。具体的には、送信部１６ａは、Ｉ，Ｑの各チャネル信号を帯域制限し変調部１０からの中間周波数信号をアップコンバートして無線信号を送信するものであって、２個のＤ／Ａ変換部（Digital to Analogue Converter）１１ａ，１１ｂと、２個のローパスフィルタ（ＬＰＦ：Low Pass Filter）１２ａ，１２ｂと、２個のミキサ１３ａ，１３ｂと、ＶＣＯ（Voltage Controlled Oscillator：電圧制御発振器）１３ｃと、加算部１５とをそなえて構成されている。
【００７０】
ここで、Ｄ／Ａ変換部１１ａ，１１ｂはともに変調部１０からのディジタルデータをアナログデータに変換するものである。ローパスフィルタ１２ａ，１２ｂはともにＤ／Ａ変換部１１ａ，１１ｂからのアナログデータの周波数の低域成分を通過させるフィルタである。各ローパスフィルタ１２ａ，１２ｂの特性は、キャリア周波数および移動通信システム８０の仕様等に応じて種々変更可能なものである。また、ＶＣＯ１３ｃは、キャリア周波数を出力する発振器であって、発振周波数を制御端子（図示省略）に加える直流電圧によって変化させることができる。ミキサ１３ａ，１３ｂは、それぞれ、Ｉ，Ｑの各チャネル信号と、ＶＣＯ１３ｃから出力されたキャリア周波数とを乗算し、キャリア周波数近傍にてシステム仕様に定められた帯域の無線信号を生成するためのものである。また、加算部１５は、各ミキサ１３ａ，１３ｂから出力された無線信号を合波して無線信号を送信するものである。
【００７１】
これにより、本発明の無線フレームを送信する送信装置９における、呼び出し信号の送信方法は、例えば基地局７１に設けられた送信装置９が、フレームタイミングを表す同期語を含むデータを送信シンボルにマッピングし、マッピングされた送信シンボルの無線フレーム内部における位置を認識し送信シンボルの出力又は停止を表すオンオフ信号を出力し、出力されたオンオフ信号に基づいて生成した無変調信号の後に、マッピングされた同期語を変調した同期語変調信号を付加した変調信号を出力し、そして、出力された変調信号を含む無線フレームを送信する。
【００７２】
従って、移動端末７０が電波の届かない場所に置かれた場合、移動端末７０自身が覆われていたり、あるいはカバンの中に入れられた場合においても、移動端末７０は、呼び出し信号を正確に着信でき、これにより、移動端末７０と基地局７１とは、いずれも、着信制御によって、着信判定に要する所要時間と信頼度の改善とを図られる。
（３）呼び出し信号のフレームフォーマット例
図５（ａ），図５（ｂ）はそれぞれ本発明の第１実施形態に係る呼び出し信号のフレームフォーマット例を示す図である。この図５（ａ）に示す呼び出し信号のフレームは、基地局７１（送信装置９）が送信したものであって、制御データ、同期語（ＳＷ：Synchronous Word）、ＩＤ、情報データ、ＣＲＣ等の各データを挿入されている。また、後述するＬＥＦＤ部１７ａ，１７ｂが引き込み動作可能な無変調信号は、呼び出し情報の前に付加されている。この無変調信号の長さは、受信状態が最悪の場合におけるＬＥＦＤ部１７ａ，１７ｂの最大引き込み時間に設定されている。
【００７３】
なお、図５（ａ），図５（ｂ）にそれぞれ示す制御データ，無変調信号が先に送信されるデータであり、ＣＲＣが後に送信されるデータである。また、各フレームフォーマットは、これらの図５（ａ），図５（ｂ）に示すフォーマットのほかにも、種々の制御データを含めることもでき、誤り訂正のためのパリティビット等を含めるようにもできる。
これにより、以下に説明する受信装置８は、無変調信号の検出前は動作を停止した状態を維持でき、無変調信号の検出後にはじめて受信装置８の復調判定回路が起動される。従って、消費電力を改善できる。
【００７４】
さらに、受信装置８が、受信信号の１シンボル内に含まれる複数のサンプリングデータを用いることにより、受信装置８における同期語の検出タイミングの精度が改善され、そして、この検出タイミングによってシンボルタイミングが再生されるので、シンボルタイミングの精度が改善される。
（４）移動端末７０
図６は本発明の第１実施形態に係る移動端末７０のブロック図である。この図６に示す移動端末７０は、基地局７１からの無線信号を復調し、音声，画像の出力又はファイルデータの保持等を行なうとともに、音声等のデータを変調してその変調データを基地局７１に送信するものであって、アンテナ１１０ｂ，低ノイズ増幅器（ＬＮＡ）１１１，受信装置８，デコーダ１０１ｂ，エンコーダ１０１ａ，送信処理部１１８，音声回路部１１９およびマイク４５，スピーカ４６，表示部４７をそなえて構成されている。ここで、アンテナ１１０ｂは無線信号を受信するものであり、低ノイズ増幅器１１１は受信した無線信号を、ノイズを抑制して増幅するものである。また、音声回路部１１９は、音声入力用のマイク４５からの信号を増幅し増幅したデータをエンコーダ１０１ａに入力するものであり、また、デコーダ１０１ｂから入力されたデータを増幅等の処理をして音声出力用のスピーカ４６から音声等を出力するものである。さらに、表示部４７はデコーダ１０１ｂから入力される情報データ等を表示するディスプレイである。
【００７５】
次に、受信装置８は無線フレームを受信するものである。デコーダ１０１ｂは受信装置８から出力される符号化データを復号するものである。
（４−１）受信装置８
図７は本発明の第１実施形態に係る受信装置８のブロック図である。この図７に示す受信装置８は、受信部１６ｂと２個のＬＥＦＤ部１７ａ，１７ｂと復調判定部（復調部）２０とをそなえて構成されている。図７に示すもので上述したものと同一符号を有するものは同一機能を有する。
【００７６】
ここで、受信部１６ｂは、無変調信号，無変調信号の後に付加された同期語および発着信ＩＤデータ等を含む無線フレームを受信しダウンコンバートした中間周波数信号データを出力するものであって、ミキサ１３ａ，１３ｂ，ＶＣＯ１３ｃ，ローパスフィルタ１２ａ，１２ｂのほかに、分離部１４と、２個のＡ／Ｄ変換部（Analogue to Digital Converter）３１ａ，３１ｂとをそなえて構成されている。この分離部１４は、無線信号をＩ，Ｑの各チャネルに振り分けるものである。
【００７７】
また、Ａ／Ｄ変換部３１ａ，３１ｂはともに受信したアナログデータをディジタルデータに変換するものであって、好ましくは、最大周波数偏移の２倍のサンプリングタイミング（サンプリング速度又はサンプリング間隔）により変換する。そして、Ａ／Ｄ変換部３１ａ，３１ｂからのディジタルデータは、サンプリング間隔で後述するＬＥＦＤ部１７ａ，１７ｂに入力されるようになっている。
【００７８】
ローパスフィルタ１２ａ，１２ｂは、低域の信号を通過させるフィルタであり、最大周波数偏移を帯域とすることが好ましい。
これにより、無線信号は、Ｉ，Ｑの各チャネルに振り分けられて、ミキサ１３ａ，１３ｂにてそれぞれＶＣＯ１３ｃからの周波数と乗算されてダウンコンバートされる。Ｉ，Ｑの各チャネルの中間周波数信号は、ローパスフィルタ１２ａ，１２ｂにて高周波数成分が除去されてからアナログデータからディジタルデータに変換され、変換されたディジタルデータはいずれもＬＥＦＤ部１７ａ，１７ｂと復調判定部２０とに入力される。
【００７９】
また、復調判定部２０は、ＬＥＦＤ部１７ａ，１７ｂにおける呼び出し信号の着信の検出により起動され、無線フレームに含まれる同期語とＩＤデータとに基づいて無線フレームが自局宛又は他局宛を判定するものである。この復調判定部２０は、自局宛のデータが受信されない間は動作を停止し、自局宛のデータがＬＥＦＤ部１７ａ，１７ｂにて受信されてＬＥＦＤ部１７ａ，１７ｂから起動信号を入力されると起動するようになっており、これにより、消費電力が抑制される。
【００８０】
復調判定部２０は、周波数再生部（ＣＲ：Career Recovery）２０ａ，同期語検出部（ＳＷ検出部）２０ｂ，逆マッピング部２０ｃ，ビットタイミングリカバリ２０ｄ，フレームカウンタ２０ｅ，ＩＤ検出部２０ｆをそなえて構成されている。
ここで、周波数再生部２０ａは、受信部１６ｂからの中間周波数信号の周波数を再生するものである。
【００８１】
ビットタイミングリカバリ２０ｄは、キャリア再生された中間周波数信号のビット列の各ビットの正確な位相を復元するものであり、検出したビットの位相情報を逆マッピング部２０ｃおよび同期語検出部２０ｂのそれぞれに入力するようになっている。すなわち、ビットタイミングリカバリ２０ｄは、ビットタイミングを検出し、これにより、受信装置８は、送信装置９にて変調された情報データをデコードできる。
【００８２】
さらに、逆マッピング部２０ｃはビットタイミングリカバリ２０ｄからの位相情報に基づいて、基地局７１（送信装置９）がマッピングした変調シンボルから１又は複数のビットを復元するものである。
同期語検出部２０ｂは、ＬＥＦＤ部１７ａ，１７ｂにて検出された無線フレームについて同期語の有無を判定するものである。同期語検出部２０ｂは、受信信号に含まれる同期語が、自局宛又は他局宛を判定し、自局宛を表すビットパタン（例えば00110011*0011）を保持するレジスタ（図示省略）と、ビット同期した受信データビットを格納するシフトレジスタ（図示省略）とを有する。そして、シフトレジスタは、所定長の受信データビットをクロック毎にシフトし、受信データビットとビットパタンとが一致するか否かを比較する。ここで、同期語検出部２０ｂは、この比較により一致を検出すると、その同期語を、フレームの先頭ビットと認識し、同期語検出をフレームカウンタ２０ｅに通知する。
【００８３】
また、フレームカウンタ２０ｅは、フレームに含まれる各種データのフレーム内部における位置を認識するものであって、この機能は例えばレジスタ等により実現される。このフレームカウンタ２０ｅは、図５（ａ），図５（ｂ）に示すフレームフォーマットを認識し、複数のビットからなるデータを復調する毎に復調処理したビット数をインクリメントし、１個の無線フレームに含まれるビット数以上をカウントし、これにより、情報データ，発着信ＩＤ等の位置を認識する。
【００８４】
また、ＩＤ検出部２０ｆ（図７参照）は、同期語検出部２０ｂにて同期語が有りと判定された無線フレームに含まれるＩＤデータが自局宛又は他局宛を判定するものである。ＩＤ判定部２０ｆは、逆マッピング部２０ｃからの復調出力とフレームカウンタ２０ｅからのフレーム位置とに基づいて発着信ＩＤを検出し、検出ＩＤとして出力するようになっている。
【００８５】
（４−２）呼び出し信号の受信方法
これにより、本発明の無線フレームを受信する受信装置８における、呼び出し信号の受信方法は、無線フレームに含まれる無変調信号に基づいて呼び出し信号の着信を検出し、無変調信号の後に付加されたフレームタイミングを表す同期語の有無を判定し、無線フレームに含まれる送信元装置および送信先装置を表すＩＤデータに基づいて無線フレームが自局宛又は他局宛を判定する。
【００８６】
従って、受信装置８は、低いＣ／Ｎ比の無線環境における呼び出し信号の着信を、専用の受信回路を用いずに認識できる。そして、受信装置８は、通話時に想定しているよりも受信状態の悪い場合であっても、周波数を引き込み、呼び出しフレームタイミングを検出する。
このフレームタイミングの検出方法は、主に次の（ｉ）〜（ｉｉｉ）の３種類の方法を用いることができる。
【００８７】
（ｉ）本発明の呼び出し信号の受信方法は、受信装置８が、呼び出し信号に、無変調信号と、呼び出しフレームタイミング判定用の同期語と、発着信局（送信元装置および送信先装置）を表す識別ＩＤを同一チャネルに挿入する。受信装置８は、送信装置９からの無線信号を受信し、無変調信号の中に呼び出し信号の有無を判定する。受信装置８は、この判定後に、呼び出しフレームタイミング判定用の同期語判定部と発着信局の識別ＩＤを判定する識別子判定部とを起動させ、そして、受信装置８は、受信無線フレームが、自局宛てか否かを判断する。
【００８８】
（ｉｉ）前記（ｉ）の受信方法において、送信装置９および受信装置８が、予測される送受信状態に基づいて、タイミング判定用同期語と、発着信局の識別ＩＤとの各ビットに、複数ビットからなる固定パタンを乗じ、その乗じたデータを送受信する。
（ｉｉｉ）前記（ｉ），（ｉｉ）の受信方法において、送信装置９および受信装置８が、発着信局の識別ＩＤに含まれるシンボル内ビット判定タイミングを、複数の全シンボル内タイミングの候補のなかから、複数ビットからなる固定パタンを乗じた後に最大エネルギを有するタイミングを選択する。
【００８９】
受信装置８は、呼び出しフレームタイミングを前記（ｉ）〜（ｉｉｉ）のいずれかの方法を用いて検出し、シンボルタイミングとなるナイキスト点を検出する。
これにより、宛先情報の信頼性を向上させることが可能となり、総じて呼び出し信号の受信性能を向上させることができる。
次に、ＬＥＦＤ部１７ａ，１７ｂは、ラインエンハンサ１７ａ，１７ｂとして機能し、無線フレームに含まれる無変調信号と、無変調信号の後に付加されたフレームタイミングを表す同期語と、無線フレームに含まれる送信元装置および送信先装置を表すＩＤデータとのうちの無変調信号に基づいて呼び出し信号の着信とキャリア周波数偏差とを検出するものである。具体的には、ＬＥＦＤ部１７ａ，１７ｂは、いずれも、呼び出し信号等の信号検出と、キャリア周波数偏差の是正（キャリア周波数偏差の引き込み）との両機能を有し、呼び出し信号の受信を認識すると、復調判定部２０を起動させるための起動信号を復調判定部２０に入力するものである。
【００９０】
このように、ＬＥＦＤ部１７ａ，１７ｂと、マルチシンボル伝送とが協働することにより、シンボルタイミングが抽出される。
（５）ＬＥＦＤ部１７ａ，１７ｂ
図８は本発明の第１実施形態に係るＬＥＦＤ部１７ａ，１７ｂのブロック図である。この図８に示すＬＥＦＤ部１７ａ，１７ｂは、バンドパスフィルタ（ＩＩＲ−ＢＰＦ［Infinite Impulse Response - Band Pass Filter］）３０，周波数判定部４０，平滑化部（平滑化処理部）５０，検出部（信号検出部又は補正部）６０をそなえて構成されている。また、図８に示す符号のうちの上述したものと同一符号を有するものは、それらと同一のもの又は同一機能を有する。
【００９１】
バンドパスフィルタ３０は、入力された中間周波数信号の所望の帯域成分を抽出するフィルタであって、加算部１５，遅延部３０ａ，第１アンプ３０ｂ，乗算器３０ｄをそなえて構成されている。ここで、遅延部３０ａは、中間周波数信号をτ時間遅延させて出力するものである。第１アンプ３０ｂは、遅延された中間周波数信号を増幅率αで増幅しその増幅された中間周波数信号を出力するものである。乗算器３０ｄは平滑化部５０からのデータと、第１アンプ３０ｂからの増幅された中間周波数信号データとを乗算するものであり、加算部１５は乗算器３０ｄからの乗算データと、検波された中間周波数信号とをフィードバック加算するものである。
【００９２】
これにより、受信部１６ｂ（図７参照）から、最大周波数偏移の２倍のサンプリングタイミングを有するサンプリングデータｓiが、バンドパスフィルタ３０に入力される。バンドパスフィルタ３０は、サンプリングデータｓiについて、（数１）で表されるフィルタ演算を行なう。ここで、ｚi′はｉ番目のバンドパスフィルタ３０の出力を表し、ｚ′i-1は１サンプリング前の出力を表し、また、Ψiは図８に示すバンドパスフィルタ３０の乗算器３０ｄに入力される複素数ｐｏｗ（ｅ，ｊ・２πｆ0Ｔ）を表す。また、Ｔ，α，γはそれぞれサンプリング周期，１よりも小さい実定数，１以下の実定数である。ｐｏｗ（ｅ，ｊ・２πｆ0Ｔ）は自然対数の底ｅ（Exponential）の（ｊ・２πｆ0Ｔ）乗を表す。
【００９３】
【数１】
2005130296.tif 000003
【００９４】
また、バンドパスフィルタ３０の伝達関数Ｈ（ｚ−１）と、この伝達関数Ｈ（ｚ−１）と等価なアナログフィルタの周波数特性Ｈ（ｆ）の絶対値と、雑音等価帯域幅ＢＷｎは、それぞれ、（数２）〜（数４）に示すようになる。
【００９５】
【数２】
2005130296.tif 000004
【００９６】
【数３】
2005130296.tif 000005
【００９７】
【数４】
2005130296.tif 000006
【００９８】
これにより、バンドパスフィルタ３０は、ｆ0の値により中心周波数を変更でき、また、α，γの値により雑音等価帯域を設定できる。
次に、周波数判定部４０は、中間周波数信号の周波数を弁別するものであって、複素演算部（Conjugate）４０ａ，正規化処理部（Normalization）４０ｂをそなえて構成されている。複素演算部４０ａは、１サンプリング前の信号の複素共役信号と、現時刻にサンプリングして得た信号とを乗算して、１サンプリング間隔における位相回転量を偏角とする複素信号を計算するものである。
【００９９】
さらに詳述すると、周波数判定部４０は、１サンプリング前の複素共役信号［（ｚi−１′）*］と、現時刻にサンプリングした値（ｚi′）とを乗算し、サンプリング間隔の位相回転量（２πｆiＴ）を偏角とする複素数Ψiを計算する。ここで、ｉは自然数を表し、＊は複素共役（Complex Conjugate）を表す。
そして、正規化処理部４０ｂは、平滑化処理部５０から出力される信号の振幅が発散することを抑制するために信号の振幅の絶対値を１にする。具体的には、正規化処理部４０ｂは、（数５）に示すように、平滑化処理部５０から出力されるγを１以下に抑制するために絶対値が１になるように信号を正規化する。
【０１００】
【数５】
2005130296.tif 000007
【０１０１】
ここで、ｅｘｐは自然対数、ｊは虚数単位、・は乗算をそれぞれ表す。
この周波数判定部４０は、後段の信号検出部６０からの復調判定部２０の起動信号が出力されるまで、常時動作している。そして、信号検出によって復調判定部２０に対して起動信号が入力されると、周波数判定部４０はそのキャリア周波数偏差情報を周波数制御部（例えばＶＣＯ：図示省略）に出力して補正し、周波数判定部４０自身の動作を停止する。
【０１０２】
次に、平滑化処理部５０は、周波数判定部４０からの出力について、積分演算を用いて平滑化した信号を再度バンドパスフィルタ３０に入力するものであり、この平滑化により得られた値は、ノイズのない一定周波数の信号がバンドパスフィルタ３０に入力された値と等価である。そして、バンドパスフィルタ３０の中心周波数は、検出された周波数に設定され、また、バンドパスフィルタ３０の通過帯域は徐々に狭くなる。この通過帯域が狭くなるとバンドパスフィルタ３０から出力される信号のＣ／Ｎ比が改善されて周波数検出精度が改善される。
【０１０３】
さらに詳述すると、平滑化処理部５０は、周波数検出部４０にて得られた複素数Ψiを平滑化し、バンドパスフィルタ３０の通過特性を、（数６）に示す通過特性にする。ここで、Ψi′はサンプリング番号ｉについて平滑化処理部５０から出力された複素パラメータであり、βはバンドパスフィルタ３０の帯域を決定するためのパラメータであって１よりも小さい実定数である。
【０１０４】
【数６】
2005130296.tif 000008
【０１０５】
この平滑化処理部５０は、第２アンプ５０ａ，第３アンプ５０ｂ，加算部１５，遅延部３０ａをそなえて構成されている。ここで、第２アンプ５０ａ，第３アンプ５０ｂはいずれも、入力信号をそれぞれ増幅率１−β，βで増幅するものである。そして、平滑化処理部５０が受信した中間周波数信号を長時間積分することにより、移動端末７０は、同一周波数を受信していると判定する。
【０１０６】
加算部１５は、同期語および発着信ＩＤと、送信固定パタンデータと同一の受信固定パタンデータとを加算した加算データを復調判定部２０に入力するものである。ここで、受信固定パタンデータは、既知のビットパタンである。
また、サンプリング番号ｉにおける平滑化処理部５０から出力される絶対値γiおよび偏角θiは、それぞれ、（数７）および（数８）により表される。
【０１０７】
【数７】
2005130296.tif 000009
【０１０８】
【数８】
2005130296.tif 000010
【０１０９】
ここで、ｆnがｎにかかわらず一定値（ｆd）となる場合には、（数７）および（数８）はそれぞれ（数９）および（数１０）に示すようになる。
【０１１０】
【数９】
2005130296.tif 000011
【０１１１】
【数１０】
2005130296.tif 000012
【０１１２】
なお、キャリア周波数偏差を検出するために、受信装置８は、周波数弁別器と平滑フィルタとを用いて周波数偏差情報の分散値を計算するようにもできる。この半面、この分散値を得る方法は、低いＣ／Ｎ比における動作の困難性と、動作時間が長い点と、信号検出に要する時間差が大きい点と、装置構成の簡便化との各観点から必ずしも好ましいものではない。
【０１１３】
一方、ＬＥＦＤ部１７ａ，１７ｂは、平滑化処理部５０からの出力信号の絶対値が入力信号の位相状態にのみ依存したことを利用している。従って、受信信号の電力値変動が大きい無線環境においても、信号検出が可能となる。以下、受信部１６ｂはＬＥＦＤ部１７ａ，１７ｂを用いるものとして説明する。
次に、図８に示す検出部６０は、ＬＥＦＤ部１７ａ，１７ｂにて検出されたキャリア周波数偏差に基づいてキャリア周波数を補正するものであって補正部として機能している。検出部６０は、平滑化処理部５０からの信号の絶対値を閾値と比較しその信号の絶対値が閾値よりも大きくなった場合に発振周波数を推定し推定した発振周波数をＶＣＯに入力するようになっており、絶対値計算部（電力化部）６０ａ，閾値判定部（信号検出部）６０ｂ，推定部（ArcTan）６０ｃをそなえて構成されている。
【０１１４】
ここで、絶対値計算部６０ａは、平滑化処理部５０から出力される信号の絶対値を計算するものである。閾値判定部６０ｂは、絶対値計算部６０ａから出力された絶対値を予め設定した閾値と比較し絶対値が閾値よりも大きくなった場合にその旨を出力するものである。推定部６０ｃは、例えば位相量（又は位相差分量）に対応付けられたアークタンジェント値に基づいて周波数を推定するものである。
【０１１５】
さらに、（数９）および（数１０）を参照して、推定周波数ｆeを取得する計算方法について詳述する。
上記の（数９）および（数１０）は、一定周波数の無変調信号がバンドパスフィルタ（図８に示すＩＩＲ−ＢＰＦ）３０に入力された状態に相当し、また、（数９）および（数１０）によって、一定周波数の信号入力に対して、絶対値は遅れを伴って１に近づき、偏角は遅れなく出力される。この結果がバンドパスフィルタ３０に入力されると、バンドパスフィルタ３０の中心周波数は、検出された周波数に設定され、帯域はγの大きさにしたがって徐々に狭くなる。
【０１１６】
また、入力信号に雑音が含まれている場合には、平滑化処理部５０からの出力の偏角に誤差が含まれるが、帯域が狭くなるにつれてバンドパスフィルタ３０の出力Ｃ／Ｎ比が改善され、周波数の検出精度が向上する。
無変調波入力がない場合は、バンドパスフィルタ３０の出力位相は雑音成分の位相分布である［０，２π］の範囲の一様分布となる。このため、（数７）のｃｏｓとｓｉｎとの各項は、平均０の成分となり、γは１よりも十分小さな値となる。
【０１１７】
従って、信号検出部６０が、γについて閾値（１よりもわずかに小さい値）を超えたか否かを判定する。信号検出部６０は、γが閾値以上になったときに推定周波数ｆeとして（数１１）に示す計算により、局発周波数を設定する。
【０１１８】
【数１１】
2005130296.tif 000013
【０１１９】
このように、ＬＥＦＤ部１７ａ，１７ｂを用いて、平滑処理の出力絶対値の大きさが、入力信号の位相状態にのみ依存することを利用して信号を検出できる。このため、受信電力変動の大きい回線においても信号検出が可能となる。そして、ＬＥＦＤ部１７ａ，１７ｂによれば、受信信号電力の大きさに依存しない信号検出が可能になる。加えて、ＬＥＦＤ部１７ａ，１７ｂにおいて、フィルタリングに要する演算回数は、複素積演算と、実数積演算と、複素和演算とは、それぞれ、１回、２回、１回であり、本ＬＥＦＤ部１７ａ，１７ｂによれば、ＦＩＲフィルタに比較して極めて少ない回数で上記演算が可能となる。
【０１２０】
これにより、例えば同期語シンボル長を長くすることにより、フレーム同期検出確率の低下が防止される。
また、本発明の移動通信システム８０は、送信装置９と受信装置８とをそなえて構成され、送信装置９が、フレームタイミングを表す同期語を含むデータを送信シンボルにマッピングするマッピング部１０ｂと、マッピング部１０ｂにてマッピングされた送信シンボルの第１無線フレーム内部における位置を認識し、送信シンボルの出力又は停止を表すオンオフ信号を出力するフレームカウンタ１０ｃと、フレームカウンタ１０ｃから出力されるオンオフ信号に基づいて生成した第１無変調信号の後に、マッピング部１０ｂにてマッピングされた第１同期語を変調した同期語変調信号を付加した第１変調信号を出力する変調部１０（又は４１）と、変調部１０から出力される第１変調信号を含む第１無線フレームを送信する送信部１６ａとをそなえて構成されている。
【０１２１】
さらに、受信装置８が、第２無線フレームに含まれる第２無変調信号と、第２無変調信号の後に付加されたフレームタイミングを表す同期語と、第２無線フレームに含まれる送信元装置および送信先装置を表すＩＤデータとのうちの無変調信号に基づいて呼び出し信号の着信とキャリア周波数偏差とを検出するＬＥＦＤ部１７ａ，１７ｂと、ＬＥＦＤ部１７ａ，１７ｂにおける呼び出し信号の着信の検出により起動され、第２無線フレームに含まれる同期語と発着信ＩＤとに基づいて第２無線フレームが自局宛又は他局宛を判定する復調判定部２０とをそなえて構成されている。
【０１２２】
そして、本発明のシンボルタイミングの抽出方法は、無線フレームを受信する受信装置８におけるシンボルタイミングの抽出方法である。
受信装置８は、送信装置９において変調シンボルに変調方式に応じた固定パタンデータ（送信固定パタンデータ）を乗じて得られた１又は複数の変調信号を受信する。
次に、受信装置８は、同期語データおよび発着信ＩＤ（送信元装置および送信先装置を表す識別子データ）と、送信固定パタンデータと同一の受信固定パタンデータとを加算した加算データを復調判定部２０に入力する。
【０１２３】
これにより、ＬＥＦＤ部１７ａ，１７ｂと、１又は複数のビットからなるマルチシンボル伝送とが組み合わされることにより、特に呼び出し信号の受信感度が向上する。
このように、移動端末７０と基地局７１とは、いずれも、着信制御によって、着信判定に要する所要時間と信頼度の改善とを図れる。
（６）動作説明
このような構成によって、本発明の第１実施形態における移動通信システム８０における無線信号の送受信方法について詳述する。
【０１２４】
移動通信システム８０において、移動端末７０と基地局７１との距離が比較的小さく無線信号のＣ／Ｎ比が良好な場合、移動端末７０は待ち受け時に呼び出し信号を受信し、基地局７１を介して、相手の加入者端末７４ａ，サーバ７５ａ（図１参照）と音声通話又はメイルデータの送受信を開始する。また、音声通話又はメイルデータ送受信が行なわれているときは、移動端末７０は基地局７１からの同期語を確実に受信する。従って、移動端末７０と基地局７１とは、いずれも、本発明の適用の有無にかかわらず、無線信号を確実に送受信する。
【０１２５】
一方、移動端末７０が不感地域にある場合又はカバン等の中に入れられた場合、移動端末７０は待ち受け時において、呼び出し信号を正確に着信できるように受信部１６ｂを動作させ続ける。
劣悪環境下において、ベースバンド信号は、例えば中心周波数が不明の無変調信号をダウンコンバートにより得られ、このベースバンド信号が、ＬＥＦＤ部１７ａ，１７ｂに入力されると、平滑化処理部５０がサンプリングした複素信号の１つがバンドパスフィルタ３０に入力される。ここで、初期状態又はノイズが混入された場合、バンドパスフィルタ３０は平坦な周波数特性となる。そして、無変調波が入力されると、周波数判定部４０がサンプリング間の位相差を検出する。また、この位相差を平均化し、再度、バンドパスフィルタ３０にフィードバックする操作を繰り返すことにより、バンドパスフィルタ３０の中心周波数は、入力された無変調波の周波数に近くなる。
【０１２６】
さらに、送信装置９が送信する無線信号について、無変調信号部分の長さ（信号長）は、最悪の無線環境におけるＬＥＦＤ部１７ａ，１７ｂの最大引き込み時間に設定する。そして、受信装置８は、この無変調部分で着信信号の有無をＬＥＦＤ部１７ａ，１７ｂにて判定し、信号検出と同時にＬＥＦＤ部１７ａ，１７ｂが検出したキャリア周波数偏差を用いて、その後の受信周波数を変更するようにＶＣＯ１３ｃの発信周波数値を補正する。さらに、受信装置８は、フレームタイミングを識別するための同期語を待ち、前記（ｉ）〜（ｉｉｉ）の各フレームタイミングの検出方法を用いて宛先情報等の呼び出し情報を抽出する。
【０１２７】
従って、本発明の移動通信システム８０は、呼び出し信号としての無変調信号と呼び出しフレームタイミング判定用同期語と発着信ＩＤとを同一チャネルに設けて処理している。受信装置８は、送信装置９からの無変調信号によって呼び出し信号の有無を判定し、その判定後に呼び出し信号のフレームタイミング判定用同期語判定部と、発着信局のＩＤ判定部とを起動して、復調後に自局宛てか否かを判断する。
【０１２８】
この動作シーケンスを用いることにより、同期語検出のオープンアパーチャ動作が少なくともノイズだけを受信しているときは発生しないので、無変調波やビットタイミングリカバリ２０ｄ部に対する相関性の低い同期語とすることにより、許容誤り数を大きくしても誤検出しにくくできる。
（７）変形例
移動端末７０および基地局７１は、送信装置９および受信装置８の両方をそなえてもよい。本変形例の移動通信システム８０ａ（図１参照）は、移動通信システム８０とほぼ同一構成である。
【０１２９】
図９は本発明の第１実施形態の変形例に係る移動端末７０ａのブロック図である。この図９に示す移動端末７０ａは、移動端末７０に設けられた受信装置８を設けるほかに、送信装置９を設けたものである。そして、移動端末７０ａは、基地局（対向送受信装置）７１ａに対して第１無線フレームを送信するとともに、基地局７１ａが送信した第２無線フレームを受信する送受信装置として機能している。ここで、送信系３４は、主に、第１無線フレームを送信するものであり、受信系３５は第２無線フレームを受信するものである。
【０１３０】
また、図１０は本発明の第１実施形態の変形例に係る基地局７１ａのブロック図である。この図１０に示す基地局７１ａは、基地局７１に設けられた送信装置８をそなえるとともに、受信装置９をそなえて構成されている。そして、基地局７１ａは、移動端末（対向送受信装置）７０ａに対して第１無線フレームを送信するとともに、移動端末７０ａが送信した第２無線フレームを受信する送受信装置として機能している。
【０１３１】
なお、これらの図９および図１０に示すもので、上述したものと同一符号を有するものは同一又は同一機能を有するので更なる説明を省略する。
従って、本変形例の移動通信システム８０ａ（図１）は、フレームタイミングを表す第１同期語を含むデータを送信シンボルにマッピングするマッピング部１０ｂと、マッピング部１０ｂにてマッピングされた送信シンボルの第１無線フレーム内部における位置を認識し、送信シンボルの出力又は停止を表すオンオフ信号を出力するフレームカウンタ１０ｃと、フレームカウンタ１０ｃから出力されるオンオフ信号に基づいて生成した第１無変調信号の後に、マッピング部１０ｂにてマッピングされた第１同期語を変調した同期語変調信号を付加した第１変調信号を出力する変調部１０と、変調部１０から出力される第１変調信号を含む第１無線フレームを送信する送信部１６ａとをそなえている。なお、変調部４１を変調部１０の代わりに用いることもできる。
【０１３２】
さらに、第２無線フレームに含まれる第２無変調信号と、第２無変調信号の後に付加されたフレームタイミングを表す同期語と、第２無線フレームに含まれる送信元装置および送信先装置を表すＩＤデータとのうちの無変調信号に基づいて呼び出し信号の着信とキャリア周波数偏差とを検出するＬＥＦＤ部１７ａ，１７ｂと、ＬＥＦＤ部１７ａ，１７ｂにおける呼び出し信号の着信の検出により起動され、第２無線フレームに含まれる同期語とＩＤデータとに基づいて第２無線フレームが自局宛又は他局宛を判定する復調判定部２０とをそなえて構成されている。
【０１３３】
また、受信装置８が、前記（ｉ）の検出方法を用いて判定する。すなわち、受信装置８は、呼び出し信号に、無変調信号と、呼び出しフレームタイミング判定用の同期語と、発着信局（送信元装置および送信先装置）を表す識別ＩＤを同一チャネルに挿入する。受信装置８は、送信装置９からの無線信号を受信し、無変調信号の中に呼び出し信号の有無を判定する。受信装置８は、この判定後に、呼び出しフレームタイミング判定用の同期語判定部と発着信局の識別ＩＤを判定する識別子判定部とを起動させ、そして、受信装置８は、受信無線フレームが、自局宛てか否かを判断する。
【０１３４】
従って、このようにすれば、シンボル内での参照点検出の高信頼化が図れる。また、通話よりも受信環境が悪い場合において、送信電力を大きくせずに、また、呼び出し受信専用の受信回路を用いずに悪い受信環境での呼び出し送受信が可能となる。
このように、本発明の第１実施形態に係る受信装置８（又は送受信装置）のＬＥＦＤ部１７ａ，１７ｂは、低いＣ／Ｎ比の無変調波について信号の有無を判定可能であり、また、精度を維持した状態で検出できる。さらに、ＬＥＦＤ部１７ａ，１７ｂは、キャリア周波数偏差を比較的短時間で検出できる。これにより、ＬＥＦＤ部１７ａ，１７ｂは、信号レベルの検出が困難な場合および引き込み時間が長い場合において、両機能を発揮できる。
【０１３５】
（Ｂ）本発明の第２実施形態の説明
第２実施形態においては、受信装置８における呼び出し信号の受信感度を向上させ、送信装置９および受信装置８間の送受信の信頼性を向上させる方法について説明する。また、第２実施形態における移動通信システム８０ｂは、第１実施形態の移動通信システム８０と同一構成である。
【０１３６】
第１実施形態における送信装置９は、１個の変調シンボルについて１個の送信シンボルを割り当てている。第２実施形態における送信装置は、１個の変調シンボルを例えば２個以上の複数個の送信シンボルに分割し分割した各送信シンボルを送信するようになっている。
図１１は本発明の第２実施形態に係る送信装置のブロック図である。この図１１に示す送信装置９ａは、変調部４１ａと、送信部１６ａとをそなえて構成されている。ここで、変調部４１ａは、マッピング部１０ｂと変調信号／無変調信号生成部１０ａとの間に、送信用固定パタン乗算部１０ｄを設けている。この送信用固定パタン乗算部１０ｄは、マッピング部１０ｂから連続して入力される変調シンボルのＩ，Ｑの各チャネルに固定パタン（既知のパタン）を乗算しこの乗算した結果を１シンボルとして変調信号／無変調信号生成部１０ａに送信するものであって、Ｉ，Ｑの各チャネルに設けられた乗算器３０ｄと、これらの乗算器３０ｄに固定パタンを入力する固定パタン保持部３０ｅとをそなえて構成されている。
【０１３７】
この変調部４１ａは、変調シンボルに、変調方式に応じた固定パタンデータを乗じて１又は複数の変調信号を出力するのである。具体的には、変調部４１ａは、変調シンボル（ａ，ｂ）に、固定パタンデータ（Ａ，Ｂ）を乗じて１又は複数の変調信号［（ａ，ｂ）＊Ａ＋（ａ，ｂ）＊Ｂ］を出力する。
また、第２実施形態においても、変調部４１ａは、同期語および発着信ＩＤを保持する保持部３３（図４（ａ）参照）を用いることができる。さらに、呼び出し信号のフレームフォーマットも、図５（ａ），図５（ｂ）に示すフレームフォーマットと同一である。なお、図１１において上述したものと同一符号を有するものは、それらと同一のもの又は同一機能を有する。
【０１３８】
ここで、時間間隔の近い複数の送信シンボルに分割する理由は、周波数の引き込み残差に対する積分効果の劣化を防止するためである。よく知られているように、フィルタの時間領域における応答（時間応答）は、入力信号とインパルス応答との畳み込み演算（Convolution）により計算される。従って、送信シンボルの送信間隔が時間的に近いことは、フィルタの時間応答等によってノイズの相関値が高くなり、積分演算を用いてもノイズが相殺されにくくなる。このため、積分効果とノイズの相殺効果とのトレードオフによって分割するシンボル配置を決定することが望ましい。
【０１３９】
そして、送信装置９ａの変調部４１ａにおいて、マッピング部１０ｂから出力される送信シンボルは、送信用固定パタン乗算部１０ｄにて固定パタンを乗算され、時間間隔の近い複数の送信シンボルに分割され、分割された送信シンボルが順番に送信される。また、受信装置８ａにおいて、待ち受け信号の受信感度が向上する。
図１２は本発明の第２実施形態に係る受信装置８ａのブロック図である。なお、この図１２に示す受信部１６ｂおよび復調判定部２０はいずれも上述したものと同一である。
【０１４０】
図１２に示す受信装置８ａは、上述した受信装置８と同様の機能を有するほかに、後述するベクトル加算する機能を有するものであって、ベクトル加算機能を付与された受信用固定パタン乗算部（積分処理部，積分部又は積分ブロック）１９が、受信部１６ｂおよび復調判定部２０間に設けられている。
ここで、受信用固定パタン乗算部１９は、ＬＥＦＤ部１７ａ，１７ｂにて受信された無線フレームに含まれる複数のシンボルの電力値を複数のシンボルの個数の例えば整数倍の個数に相当する時間中積分して得たシンボル電力値データを復調判定部２０に入力するものである。
【０１４１】
また、受信用固定パタン乗算部１９は、送信装置９ａから送信された２個の変調シンボルのそれぞれに固定パタンを乗算しこの乗算結果を加算して１個の変調シンボルに変換するものである。このベクトル加算とは、複数の受信シンボル点を累積加算（積分）又は相関値を計算することを意味し、また、ベクトルとは、無線信号を複素表示したｒ＊ｐｏｗ（ｅ，ｊ・２πｆＴ）で表されたものに相当する。ここで、ｒは振幅，＊は乗算，ｐｏｗ（ｅ，ｊ・２πｆＴ）は自然対数の底ｅ（Exponential）の（ｊ・２πｆＴ）乗，ｊは虚数単位をそれぞれ表す。
【０１４２】
受信用固定パタン乗算部１９は、２個の遅延部１８と、４個の乗算器３０ｄと、２個の加算部１５と、固定パタン保持部３０ｅとをそなえて構成されており、また、遅延部１８，２個の乗算器３０ｄ，加算部１５，固定パタン保持部３０ｅから構成される積分演算処理部が、Ｉ，Ｑの各チャネルについて１組づつ設けられている。
これにより、送信部４１ａ（図１１参照）は、予測される受信状態により、タイミング判定用同期語と、発着信ＩＤの各ビットを、複数ビットからなる固定パタンを乗算する。
【０１４３】
図１３（ａ）は本発明の第２実施形態に係る受信シンボル例を示す図である。この図１３（ａ）に示す曲線Ｌ１は、受信装置における受信シンボルが観測される概略的な範囲を表し、また、○はＱＰＳＫが用いられた場合の理論的な変調シンボルの位置（ナイキスト点）を表す。なお、横軸，縦軸はそれぞれ実数成分Ｒｅ（Real），虚数成分Ｉｍ（Image）である。
【０１４４】
さらに詳述すると、理論的な変調シンボルの近辺で受信された受信シンボルの位相は、変調シンボルの位相と同一又は変調シンボルの位相から微少にずれたものを表す。この一方、変調シンボルから離れたところにおいて受信された受信シンボルの位相は、元の変調シンボルの位相から大きくずれた位相を表す。また、無線環境が劣悪な場合、位相が変調シンボルの位相からずれて、無線信号の振幅（又は電力）は小さくなる。原点と原点以外の点との距離は、受信シンボルの振幅に相当し、また、振幅を２乗したものは電力を表す。ここで、Ｑ１，Ｑ２は、それぞれ、大きな電力値の受信シンボル，小さな電力値の受信シンボルである。従って、理論的な変調シンボル○の近辺にて受信された受信シンボルの電力は大きくなり、それ以外にて受信された受信シンボルの電力は小さくなる。
【０１４５】
一方、受信部１６ｂから出力される受信シンボルのＩ，Ｑの各信号は２分岐され、Ｉ，Ｑの各チャネル信号に固定パタンが乗算されて、Ｉ，Ｑの各チャネルについて１個の受信シンボルが復調判定部２０（図１１参照）に入力される。
次に、ベクトル加算部１９は、ＬＥＦＤ部１７ａ，１７ｂにて受信された無線フレームを周波数変換して得た中間信号の出力タイミングを調整する。
【０１４６】
ベクトル加算についてさらに詳述する。受信装置８ａは、分割送信された送信シンボルに、送信装置９ａが用いる固定パタンと同一の固定パタンを乗算し、さらに、ＬＥＦＤ部１７ａ，１７ｂによって周波数補正がほとんど終了していることを利用してベクトル加算する。
図１３（ｂ）はベクトル加算を説明するための図であり、変調例としてＱＰＳＫが用いられた場合のものである。この図１３（ｂ）に示す信号平面において、○および●は、それぞれ理論的な変調シンボル点および受信シンボル点を表し、受信シンボルはノイズ又はマルチパス等によって変調シンボルとずれた点にて受信される。また、信号平面においてシンボルの信号エネルギが最大の位置はナイキスト点と呼ばれ、変調シンボル点○に相当する。
【０１４７】
従って、受信装置８ａが、ＬＥＦＤ部１７ａ，１７ｂにて受信された第２無線フレームに含まれる複数のシンボルの電力値を複数のシンボルの個数の整数倍の個数に相当する時間中積分して得たシンボル電力値データを復調判定部２０に入力するベクトル加算部１９をそなえ、ベクトル加算部１９が、ＬＥＦＤ部１７ａ，１７ｂにて受信された第２無線フレームをダウンコンバートして得た中間信号の出力タイミングを調整するとともに、同期語および発着信ＩＤと、送信固定パタンデータと同一の受信固定パタンデータとを加算した加算データを復調判定部２０に入力するように構成されている。
【０１４８】
ここで、第２実施形態の移動通信システム８０ｂが、ＣＤＭＡ方式を用いた場合における受信シンボル点の偏差量の抑制について詳述する。
各移動端末７０の受信部１６ｂは、通常、位相がずれたキャリア周波数を受信するので、受信部１６ｂがベクトル加算をし続けると偏差量が増大する。このため、ＣＤＭＡ方式の仕様は、移動端末７０におけるキャリア周波数偏差を抑制するようにして、拡散率および拡散速度の各値を規定している。すなわち、移動端末７０は、位相のずれがないことを前提として拡散処理および逆拡散処理を行なっている。なお、逆拡散処理（図示省略）は、拡散変調部４２（図４（ｂ））が用いる拡散符号と同一符号を用いて、拡散変調とは逆の加算および乗算を行なうようになっている。
【０１４９】
従って、拡散率および拡散速度が仕様に規定され各値よりも大きい場合は、受信部１６ｂにおける偏差量の増大によって、受信シンボル点は、信号空間にて１８０度以上偏差し、また、本来の変調シンボルと異なるシンボルと認識されて受信信号が消滅することが生じる。
さらに、図１４は本発明の第２実施形態に係る受信シンボル点を説明するための図である。受信装置８ａにおいて、キャリア周波数偏差が生じた場合、この図１４に示す受信シンボル点Ｐ１が、受信電力値が減少する方向に移動し、原点方向に回転するように近づいて消滅する（曲線Ｌ２と表示したもの）。従って、受信状態が劣悪のときは、拡散するデータの範囲および拡散時間が制限される。
【０１５０】
これに対して、本発明の受信装置８は、周波数引き込みが完了した後にシンボル点を判定するので、長時間受信しても偏差量を抑制できる。さらに、キャリア周波数偏差がない場合、受信部１６ｂはキャリア周波数に同期し続けるのでベクトル加算値が加算され信号電力値が増加する。加えて、無線回線のノイズがガウスノイズと近似できる場合は、種々のノイズが相殺されノイズ電力値は原点に近づく。従って、受信部１６ｂは、ベクトル加算するシンボル数を増減することによって、積分後の各シンボルのＳ／Ｎを必要な分だけ改善可能となる。例えば、受信部１６ｂにおけるＳ／Ｎ比が改善されて信号電力値が２倍になれば、Ｓ／Ｎ比は３ｄＢ改善される。
【０１５１】
これにより、受信装置８ａは、拡散時間についての増減が可能となり、要求仕様を満足する必要最小限の信号電力値で通信可能となる。
以上が、ＣＤＭＡ方式が用いられたときの説明である。
このような構成によって、本発明の第２実施形態に係る移動通信システム８０ｂの信号送受信処理について図１５（ａ）〜図１５（ｄ）を参照して詳述する。
【０１５２】
図１５（ａ）〜図１５（ｄ）はいずれも本発明の第２実施形態に係る受信装置８ａにおける受信処理を説明するためのタイムチャートである。これらの図１５（ａ）〜図１５（ｄ）の右方向は時間方向を表す。
この図１５（ａ）は送信装置９ａが送信した無線フレームに含まれる呼び出し信号を表し、受信装置８はこれらのビットタイミングリカバリ２０ｄ，同期語および発着信ＩＤの各データを受信（入力）される。図１５（ｂ）は送信装置９ａが送信した送信データ例を示し、ビットタイミングリカバリ２０ｄ，同期語および発着信ＩＤの各データのビットが表示されている。ここで、ビットタイミングリカバリ２０ｄ，同期語および発着信ＩＤの各データは、それぞれ、８ビット，４ビットおよび８ビットからなる。また、１〜８を付されたものはビットタイミングを表し、１〜８の時間が１に相当する。
【０１５３】
また、図１５（ｃ）は受信装置８が受信したデータ（受信データ）を示す図である。この図１５（ｃ）に示す受信データ波形は、図１５（ｂ）に示す送信データの時間幅と同一である。
さらに、図１５（ｄ）は図１５（ｃ）に示す受信データ波形と固定パタンとが乗算された乗算データを表している。この図１５（ｄ）に示す乗算データの波形は、２箇所においてピークを有する。
【０１５４】
ここで、第１実施形態の移動通信システム８０と移動通信システム８０ｂとを比較すると、移動通信システム８０は、受信特性を改善するための一例として、同期語のシンボル長を長くすることにより、フレーム同期の検出確率の低下を防止している。この半面、シンボル長を長くする方法は、受信特性の改善効果を向上させるために、同期語検出部２０ｂの処理量が増加する。
【０１５５】
一方、移動通信システム８０ｂにおける送信装置９ａは、１個の変調シンボルを例えば２個の送信シンボルに分割し、分割した２個の送信シンボルを、変調速度を維持して送信するので、送信される変調シンボルのエネルギは、１個の変調シンボルが有するエネルギの２倍である。すなわち、第２実施形態における送信装置９ａは、１シンボルあたりのエネルギを時間方向に増加させつつ、変調速度を変更しないで複数の変調シンボルを送信する。換言すれば、送信装置９が、エネルギを時間方向に増減するのである。
【０１５６】
送信装置９ａは、フレームに含まれる情報データ等の変調処理の対象となるフレーム位置から、１個の送信シンボルに固定パタンを乗算し２個の変調シンボルにして無線信号を送信する。
一方、受信装置８ａのＬＥＦＤ部１７ａ，１７ｂは、周波数偏差判定および信号検出の各動作を第１実施形態に示す動作と同様に行なう。ここで、受信用固定パタン乗算部１９は、ベクトル加算を行なう。すなわち、受信用固定パタン乗算部１９において、Ｉチャネルを構成する２個の変調シンボルに各々固定パタンを乗算しその乗算結果を加算してＩチャネルについて１個のシンボルに変換する。また、受信用固定パタン乗算部１９は、Ｑチャネルを構成する２個の変調シンボルに各々固定パタンを乗算しその乗算結果を加算してＱチャネルについて１個のシンボルに変換する。
【０１５７】
従って、復調判定部２０の同期語検出部２０ｂの入力側に設けられた受信用固定パタン乗算部（積分処理部）１９において受信信号データが積分され、この積分の後に同期語検出が行なわれるので、同期語検出部２０ｂの処理量は増加せず、受信用固定パタン乗算部１９における処理量だけが増加する。
なお、受信用固定パタン乗算部１９から出力される積分結果は、ＩＤ検出部２０ｆが参照することもでき、このようにすれば、ＩＤについての誤り訂正能力を増大させる処理が不要となる。
【０１５８】
このように、本発明の第２実施形態においては、低いＣ／Ｎ比の無変調波について信号の有無を判定でき、また、判定精度を維持した状態で検出でき、さらに、キャリア周波数偏差を比較的短時間で検出できる。
また、受信装置８ａにおける呼び出し信号の受信感度を向上させ、送信装置９ａおよび受信装置８ａ間の送受信の信頼性が向上する。
【０１５９】
（Ｃ）本発明の第３実施形態の説明
第３実施形態は、受信装置が受信シンボルの参照点を１シンボル期間のうちの適切な時刻位置において検出する方法について説明する。また、第３実施形態における移動通信システム８０ｃは、第１実施形態の移動通信システム８０と同一構成である。
図１６は本発明の第３実施形態に係る送信装置のブロック図であり、この図１６に示す送信装置９ｂは、送信部１６ａと変調部４１ｂと送信用固定パタン乗算部１０ｇを設けている。この送信用固定パタン乗算部１０ｇは、マッピング部１０ｂからのＩ，Ｑの各チャネルに、例えば既知の２ビット「００」の固定パタンを乗算しこの乗算した結果を変調信号／無変調信号生成部１０ａに送信するものであって、固定パタン保持部３０ｅに固定パタン「００」を出力させる受信状態予測部３０ｆをそなえて構成されている。
【０１６０】
なお、図１６に示す送信装置９ｂのうちの上述したものと同一符号を有するものは、図２に示す送信装置９と同一のものである。また、変調部４１ｂは、同期語および発着信ＩＤを保持する保持部３３（図４（ａ）参照）を用いることができる。さらに、呼び出し信号のフレームフォーマットも、図５（ａ），図５（ｂ）に示すフレームフォーマットと同一である。
【０１６１】
また、図１７は本発明の第３実施形態に係る受信装置のブロック図である。この図１７に示す受信装置８ｂは、受信シンボルに固定パタン「００」を乗算して１シンボルとするときに、複数のシンボルタイミングのうちの電力値が最大のタイミングを決定する機能（以下、タイミング決定機能と称する。）を有するほかに、第１実施形態の受信装置８と同様の機能と、ベクトル加算機能とを有する。
【０１６２】
そして、受信装置８ｂは、ベクトル加算と、タイミング決定とを行なう受信用固定パタン乗算部１９ａをそなえて構成されている。ここで、受信用固定パタン乗算部１９ａは、送信装置９ｂから送信された２個の変調シンボルのそれぞれに固定パタン「００」を乗算しこの乗算結果を加算して１個の変調シンボルに変換するものであって、タイミング決定部１９ｂを有する。また、図１７に示すもので、上述したものと同一符号を有するものは、それらと同一のもの又は同一機能を有する。
【０１６３】
すなわち、送信装置９ｂおよび受信装置８ｂは、それぞれ、予測される受信状態により、同期語（タイミング判定用同期語）と、発着信ＩＤの各ビットとを、例えば２ビットからなる固定パタン「００」を乗じて送信および受信するのである。
これにより、図１７に示す受信部１６ｂから出力される受信シンボルのＩチャネル信号は、受信用固定パタン乗算部１９ａにおいて２分岐され、分岐された一方のＩチャネル信号は、遅延部１８にて遅延された後、乗算器３０ｄにおいて、固定パタン「００」が乗算される。また、分岐された他方のＩチャネル信号は、乗算器３０ｄにおいて、固定パタン「００」が乗算され、加算部１５において、遅延したＩチャネル信号と加算されて１個の受信シンボルとされてから復調判定部２０に入力される。さらに、受信部１６ｂからの受信シンボルのＱチャネル信号についても同様に処理されて、Ｉ，Ｑの各チャネルについて１個の受信シンボルがいずれも復調判定部２０に入力される。また、受信装置８ｂは、送信装置９ｂが用いる固定パタンと同一の固定パタンを受信シンボルを乗算し、ＬＥＦＤ部１７ａ，１７ｂによって周波数補正がほとんど終了していることを利用してベクトル加算する。
【０１６４】
従って、受信用固定パタン乗算部１９ａにおいて受信信号データが積分され、この積分の後に同期語検出されるので、同期語検出部２０ｂの処理量は変動せずに受信用固定パタン乗算部１９ａにおける処理量だけが増加する。
そして、受信装置８ｂは、同期語検出部２０ｂの処理量は変動しないことを利用して、連続する変調シンボルに固定パタンを乗算して１シンボルとするときに、複数のシンボルタイミングの候補のうちの最適なシンボルタイミングを決定するのである。
【０１６５】
これにより、移動通信システム８０ｃに対する信頼性が向上する。
以下、タイミング決定方法について詳述する。
移動通信システム８０ｃは、周波数の有効利用の観点から、送信装置９ｂが送信帯域を制限するためのフィルタを設けることを必須としている。このフィルタの特性は、ナイキストの無歪条件を満たすフィルタおよびガウスフィルタ等と同様である。
【０１６６】
そして、送信装置９ｂがこのフィルタを用いてシンボルを送信した場合、受信装置８ｂがそのシンボルに含まれるデータを識別するために最も有利なタイミングは、シンボルの中心である。なお、移動通信システム８０ｃは、パーシャルレスポンス等の符号間干渉を許容しないものとして説明する。
受信装置８ｂの受信用固定パタン乗算部１９ａは、受信された中間周波数信号を積分することにより、ナイキスト点（図１２（ｂ）に示す変調シンボル点○）における信号情報を抽出する。
【０１６７】
図１８は本発明の第３実施形態に係るシンボル遷移を説明するための図である。受信装置８ｂの受信用固定パタン乗算部１９ａは、この図１８に示す受信シンボル（●で表されたもの）が変調シンボル（○で表されたもの）間を遷移する途中のものであるか否かを知ることとはできない。すなわち、データを識別するためのタイミングを決定する機能は、受信用固定パタン乗算部１９ａの遅延器１８，乗算器３０ｄおよび加算器１５だけでは得られない。
【０１６８】
これに対して、受信用固定パタン乗算部１９ａは、受信シンボルが軸を交差（横切る）するタイミングを検出し、また、タイミングを平均化するものである。なお、シンボル間の境界の位置を知るようにもできる。換言すれば、受信用固定パタン乗算部１９ａは、受信シンボルのサンプリングが、このタイミングが進んでいるか又は遅れているかを判定することにより、現在のシンボル点が正確か否かを判定するようになっている。
【０１６９】
図１９は本発明の第３実施形態に係るシンボルタイミングを説明するための図である。この図１９に示す曲線Ｌ４は受信シンボルの電力値分布を表し、曲線Ｌ５，Ｌ６はそれぞれ受信シンボルのアイパタンを表し、受信波形の概略１周期分に相当する部分が表示されている。また、時刻（又は時間）を表す横軸上の時刻ｔ１，ｔ２はアイパタンの広がりが最大となり、受信装置８ｂにおいて最大のＳ／Ｎ比が得られる時刻であり、シンボル中心に相当する。ここで、受信用固定パタン乗算部１９ａは、シンボル中心におけるＳ／Ｎ比についてベクトル加算を用いてＳ／Ｎ比を改善する。
【０１７０】
一方、時刻ｔ１，ｔ２以外の時刻において復調されたシンボルの電力値は、シンボル中心における電力値よりも小さい。従って、受信装置８ｂのビットタイミングリカバリ２０ｄ等は、正確にこのタイミングでシンボルを判定しなければ改善効果が低下する。このため、第３実施形態における受信装置８ｂは、以下に述べる２種類のタイミングを参照タイミングとして対応するようになっている。
【０１７１】
１番目の参照タイミングは、受信装置８ｂが、複数のビットにより表された発信ＩＤおよび着信ＩＤ（発着信ＩＤ）について、発着信ＩＤのシンボル内ビット判定タイミングを、予め格納した複数のシンボル内判定タイミングの全候補のなかから、複数ビットからなる固定パタンを乗じた後に最大エネルギが得られるシンボル内判定タイミングを選択する方法である。すなわち、受信装置８ｂが、１又は複数のビットからなる１シンボルに既知の固定パタンを乗じ、この乗算により得られた１又は複数のビットからなる１シンボルを検出し、シンボルタイミングを再生するのである。
【０１７２】
さらに詳述すると、復調判定部２０が、受信用固定パタン乗算部１９のベクトル加算において出力された同期語および発着信ＩＤと受信固定パタンデータとを乗じた複数のシンボル内判定タイミング（乗算データ）のうちの最大エネルギを有するシンボル内タイミングを、ＩＤデータの参照タイミングとして決定するものである。これにより、受信装置８ｂがベクトル加算によって分割されたシンボル内で最もエネルギが増大するタイミングが選択される。
【０１７３】
また、２番目の参照タイミングは、ベクトル加算された同期語および発着信ＩＤについて、サンプリングタイミングのうちの信号判定時の相関値が最大のサンプリングタイミングを、同期語の参照タイミングとして決定する受信装置８ｂがフレームタイミング識別用の同期語を、複数のサンプリングタイミング（サンプリングクロック）において検出し、その複数のサンプリングタイミングのうちの最大相関値が得られたサンプリングタイミングをシンボル内の参照タイミングとする方法である。
【０１７４】
そして、シンボル内タイミングの決定は、受信装置８ｂが１番目および２番目のうちのいずれを用いた場合においても、ベクトル加算によるＳ／Ｎ比の改善後に行なう。従って、受信装置８ｂのタイミング検出精度が向上する。一方、２番目の参照タイミングが用いられる場合は、同期語の長さの分だけさらにベクトル加算することと等価なので、一層の検出精度の向上が期待できる。
【０１７５】
このように、ＬＥＦＤ部１７ａ，１７ｂによる信号検出および周波数偏差検出機能と、呼び出し情報データ部分での複数シンボルのベクトル加算を組み合わせることによって、低いＣ／Ｎ比における呼び出し信号受信が、専用の受信部１６ｂを用いることなく実現される。受信装置８ｂがこの方法を用いた場合、受信装置８ｂは、通話時と呼び出し受信時との各シンボル速度を同一にすることにより、必要な受信状態の変化に対して柔軟、かつ共通の受信部１６ｂ（受信処理）で対応できる。
【０１７６】
また、ビットタイミングリカバリ２０ｄにおけるタイミング検出についてさらに詳述する。受信用固定パタン乗算部１９ａの遅延部１８は、例えばτの時間解像度を有し、この時間解像度τは、受信用固定パタン乗算部１９ａが、送信装置９ｂが変調したシンボルを受信して得られる復調シンボルを複数回数サンプリングした最小時間に相当する。ビットタイミングリカバリ２０ｄは、複数回数のサンプリング結果のうちの信号判定時にＳ／Ｎ比が最大になるタイミングを検出する。例えば４倍オーバーサンプリングでかつ固定パタン長を２とした場合、最大のＳ／Ｎ比が得られるタイミングは、８箇所のシンボルタイミング候補のうちから決定される。
【０１７７】
ここで、８箇所のシンボルタイミングのうちの変調シンボルがナイキスト点に近いサンプル点が最大の信号エネルギを有し、また、固定パタンの区切りと異なるタイミングにおいて得られる積分結果はともに打ち消し合う。従って、受信用固定パタン乗算部１９ａは、８箇所のシンボルタイミングのうちの１番大きい電力値を得られるタイミングを選択するようになっている。また、受信用固定パタン乗算部１９ａを複数個設けることにより、受信装置８ｂは所望のシンボル数を増減できる。
【０１７８】
これに対して、無線環境が非常に劣悪である場合は、被変調データと固定パタンとの組み合わせを用いたタイミング検出は、必ずしも固定パタンの区切りと異なるタイミングにおける積分結果が打ち消し合うとは限らない。このため、受信用固定パタン乗算部１９ａは、複数回数、タイミング検出を行なって積分して判定する。例えば図１５（ａ）〜図１５（ｄ）に示すタイミングのうちのタイミング５において検出される。
【０１７９】
従って、本発明の第３実施形態の受信装置８ｂは、時刻ｔ１，ｔ２と、これらの時刻ｔ１，ｔ２とは異なる時刻において復調されたシンボルの電力値を改善できる。
このような構成によって、受信装置８ｂの受信部１６ｂが送信装置９ｂからのシンボルを受信し、ＬＥＦＤ部１７ａ，１７ｂが無変調信号を受信して自局宛を検出すると復調判定部２０を起動し、復調判定部２０はシンボル位相を監視してキャリア再生（Career Recovery：ＣＲ）し、復調判定部２０は信号のシンボル間の遷移タイミングを監視して、ナイキスト点を検出する。
【０１８０】
一方、フレームタイミング判定用同期語（以下、同期語と称する。）を検出する同期語検出部２０ｂが、これらのキャリア再生とナイキスト点の検出とを行なうと、各操作後にフレームタイミングを検出する処理に間に合わなくなる。このため、送信装置９ｂの変調部４１ｂ（図１６参照）が、シンボル内タイミング参照用ビット列（ＢＴＲ）を呼び出しフレームに書き込むようにしている。すなわち、受信装置８ｂにおいて受信および復調の各操作に必要なＢＴＲが、送信装置９ｂによって呼び出しフレーム中に用意されているのである。
【０１８１】
なお、受信装置８ｂは、キャリア再生およびナイキスト点検出の各操作に必要な受信信号であって遅延分以上の受信信号データを保持するメモリを設けることにより対応できる。このため、受信装置８ｂは必ずしもビットタイミングリカバリ２０ｄ処理が必要とはならない。
次に、同期語検出部２０ｂが、呼び出しフレームタイミングを検出し、このタイミングを用いて宛先情報（送信先装置ＩＤ）等の各種の情報を得る。
【０１８２】
さらに、通話時の受信状態よりも受信状態が悪い場合においても正確に呼び出し可能とするために、送信装置９ｂは、呼び出しフレームのビットおよび同期語の各部分のエネルギを、通話フレームのビットおよび同期語を含む全体のエネルギを大きくしてシンボルを送信する必要がある。
具体的には、受信用固定パタン乗算部１９ａは、エネルギを大きくするために、送信電力値を大きくする方法が比較的簡単である。この一方、受信用固定パタン乗算部１９ａが送信電力値を大きくできない場合、シンボル数つまり時間を増加させる方法を用いることもでき、このようにすれば、受信装置８ｂは、積分効果によって送信電力値を大きくする方法と同等の効果（例えば受信感度の向上）を得ることができる。
【０１８３】
なお、発着信ＩＤ部分のデータについて、受信用固定パタン乗算部１９ａは、ビットタイミングリカバリ２０ｄ又は同期語検出と同様の方法を用いることができる。さらに、送信装置９ｂが一層強力な誤り訂正ビットをフレームに挿入するとともに、受信装置８ｂが誤り訂正することによっても実現できる。
このように、送信装置９ｂおよび受信装置８ｂが、ともに、呼び出し信号フレームの変調速度を、通話フレームの変調速度と同一の変調速度にすることにより、受信装置８は呼び出し信号を受信するための専用の受信部１６ｂを用いずに各処理ブロックを拡張できる。これにより、送信装置９ｂおよび受信装置８ｂは、劣悪な受信状態における呼び出し信号の送受信が可能となる。
【０１８４】
（Ｃ１）本発明の第３実施形態の変形例の説明
受信装置は、連続する変調シンボルに固定パタンを乗算して１シンボルとするときに、同期語の検出を契機としてシンボルタイミングを決定する例を説明する。
図２０は本発明の第３実施形態の変形例に係る送信装置のブロック図であり、図２１は本発明の第３実施形態の変形例に係る受信装置のブロック図である。これらの図２０，図２１に示すもので、上述したものと同一符号を有するものは、それらと同一のもの又は同一機能を有する。
【０１８５】
ここで、図２１に示す受信装置８ｃの同期語／ビットタイミング検出部（同期語およびビットタイミング検出部）２０ｇは、同期語およびビットタイミングの各々を検出するものである。同期語／ビットタイミング検出部２０ｇの機能は、例えばオーバーサンプリング動作するマッチトフィルタを用いることにより実現される。
また、同期語／ビットタイミング検出部２０ｇは、信号平面上において積分処理を行なった後に信号電力値を比較するようになっている。また、第３実施形態における積分は、統計的な確率の向上を期待したものである一方、本変形例においては、固定パタンの積分効果と同様にノイズを打ち消し合うことによるＳ／Ｎ比の改善をも可能となる。
【０１８６】
なお、受信装置８ｃには、受信装置８ｂのビットタイミングリカバリ２０ｄが設けられていない。
さらに、受信用固定パタン乗算部１９ａに設けられた遅延部の時間解像度は、変調シンボルを複数回数サンプリングした最小時間に相当する。そして、受信装置８ｃの同期語検出部２０ｂのオーバーサンプリングを用いて、複数のサンプリングされた結果のうちの信号判定時におけるＳ／Ｎ比が最大のタイミングを推測するようになっている。例えば４倍オーバーサンプリングを用いてかつ固定パタン長を２とすると、８箇所のシンボルタイミング候補が得られる。これらのシンボルタイミングのうちの正確なタイミングを検出できる理由は、受信装置８ｃが同期語検出部２０ｂの処理量は変動しないことを利用しているからである。これにより、移動通信システム８０ｃに対する信頼性が向上する。
【０１８７】
（Ｄ）その他
本発明は上述した実施態様およびその変形例に限定されるものではなく、本発明の趣旨を逸脱しない範囲で、種々変形して実施することができる。
図１１に示す受信部１６ｂと復調判定部２０との間に設けられた受信用固定パタン乗算部１９は、受信部１６ｂと復調判定部２０とを接続又は分離するスイッチを設けてもよい。これにより、省電力化が図れる。
【０１８８】
また、図１，図２の説明において、移動端末７０はハンドオーバ（ハンドオフ）時においても、本発明を実施可能である。
さらに、送信装置９および受信装置８は、誤り訂正機能を設け、インターリーブ処理するようにもできる。
（Ｅ）付記
（付記１）  無線フレームを受信する受信装置であって、
該無線フレームに含まれる無変調信号と、該無変調信号の後に付加されたフレームタイミングを表す同期語データと、該無線フレームに含まれる送信元装置および送信先装置を表す識別子データとのうちの該無変調信号に基づいて呼び出し信号の着信とキャリア周波数偏差とを検出するラインエンハンサと、
該ラインエンハンサにおける該呼び出し信号の着信の検出により起動され、該無線フレームに含まれる該同期語データと該識別子データとに基づいて該無線フレームが自局宛又は他局宛を判定する復調判定部とをそなえて構成されたことを特徴とする、受信装置。
【０１８９】
（付記２）  該復調判定部が、
該ラインエンハンサにて検出された該無線フレームについて該同期語データの有無を判定する同期語判定部と、
該同期語判定部にて該同期語データが有りと判定された該無線フレームに含まれる該識別子データが自局宛又は他局宛を判定する識別子判定部とをそなえて構成されたことを特徴とする、付記１記載の受信装置。
【０１９０】
（付記３）  該復調判定部が、さらに、
該ラインエンハンサにて検出された該キャリア周波数偏差に基づいて該キャリア周波数を補正する補正部をそなえて構成されたことを特徴とする、付記２記載の受信装置。
（付記４）  該ラインエンハンサにて受信された該無線フレームに含まれる複数のシンボルの電力値を該複数のシンボルの個数に起因する時間中積分して得たシンボル電力値データを該復調判定部に入力するベクトル加算部をそなえて構成されたことを特徴とする、付記１記載の受信装置。
【０１９１】
（付記５）  該ベクトル加算部が、
該ラインエンハンサにて受信された該無線フレームに起因する中間信号の出力タイミングを調整するように構成されたことを特徴とする、付記４記載の受信装置。
（付記６）  該ラインエンハンサにて受信された該無線フレームに含まれる複数のシンボルの電力値を該複数のシンボルの個数に起因する時間中積分して得たシンボル電力値データを該復調判定部に入力するベクトル加算部を設け、
該ベクトル加算部が、
該同期語データおよび該識別子データと、送信固定パタンデータと同一の受信固定パタンデータとを加算した加算データを該復調判定部に入力するように構成されたことを特徴とする、付記１記載の受信装置。
【０１９２】
（付記７）  該復調判定部が、
該ベクトル加算部において出力された該同期語データおよび該識別子データと該受信固定パタンデータとを乗じた複数の乗算データのうちの最大エネルギを有するシンボル内タイミングを、該識別子データの参照タイミングとして決定するように構成されたことを特徴とする、付記６記載の受信装置。
【０１９３】
（付記８）  該復調判定部が、
該ベクトル加算部において出力された該同期語データおよび該識別子データについて、サンプリングタイミングのうちの信号判定時の相関値が最大のサンプリングタイミングを、該同期語データの参照タイミングとして決定するように構成されたことを特徴とする、付記６記載の受信装置。
【０１９４】
（付記９）  無線フレームを送信する送信装置であって、
フレームタイミングを表す同期語データを少なくとも含むデータを送信シンボルに変換し該送信シンボルを複素平面にマッピングするマッピング部と、
該マッピング部にてマッピングされた該送信シンボルの該無線フレーム内部における位置を認識し、該送信シンボルの出力又は停止を表すオンオフ信号を出力するデータ位置認識部と、
該データ位置認識部から出力されるオンオフ信号に基づいて生成した無変調信号の後に、該マッピング部にてマッピングされた該第１同期語データを変調した同期語変調信号を付加した変調信号を出力する変調部と、
該変調部から出力される該変調信号を含む該無線フレームを送信する送信部とをそなえて構成されたことを特徴とする、送信装置。
【０１９５】
（付記１０）  該マッピング部が、該同期語データと、送信元装置および送信先装置を表す識別子データとをそれぞれ変換した該送信シンボルを複素平面にマッピングするとともに、
該データ位置認識部が、該マッピング部にてマッピングされた該送信シンボルのうちの所望の送信シンボルについて出力又は停止を表すオンオフ信号を出力するように構成されたことを特徴とする、付記９記載の送信装置。
【０１９６】
（付記１１）  該マッピング部が、該同期語データと情報データとをそれぞれ変換した該送信シンボルを複素平面にマッピングするとともに、
該変調部が、該マッピング部にてマッピングされた該送信シンボルを変調して変調信号を含む該無線フレームを出力するように構成されたことを特徴とする、付記９記載の送信装置。
【０１９７】
（付記１２）  該マッピング部が、
該同期語データと情報データとを、該送信装置自身に設けられた保持部又は該送信装置の外部から取得するように構成されたことを特徴とする、付記９〜付記１１のいずれか一に記載の送信装置。
（付記１３）  該変調部が、
該変調シンボルに、変調方式に応じた固定パタンデータを乗じて１又は複数の該変調信号を出力するように構成されたことを特徴とする、付記９〜付記１１のいずれか一に記載の送信装置。
【０１９８】
（付記１４）  該変調部が、
該変調シンボル（ａ，ｂ）に、該固定パタンデータ（Ａ，Ｂ）を乗じて１又は複数の変調信号［（ａ，ｂ）＊Ａ＋（ａ，ｂ）＊Ｂ］を出力するように構成されたことを特徴とする、付記１３記載の送信装置。
（付記１５）  対向送受信装置に対して第１無線フレームを送信するとともに、該対向送受信装置が送信した第２無線フレームを受信する送受信装置であって、
フレームタイミングを表す第１同期語データを少なくとも含むデータを送信シンボルに変換し該送信シンボルを複素平面にマッピングするマッピング部と、
該マッピング部にてマッピングされた該送信シンボルの該第１無線フレーム内部における位置を認識し、該送信シンボルの出力又は停止を表すオンオフ信号を出力するデータ位置認識部と、
該データ位置認識部から出力されるオンオフ信号に基づいて生成した第１無変調信号の後に、該マッピング部にてマッピングされた該第１同期語データを変調した同期語変調信号を付加した第１変調信号を出力する変調部と、
該変調部から出力される第１変調信号を含む該第１無線フレームを送信する送信部とをそなえるとともに、
該第２無線フレームに含まれる第２無変調信号と、該第２無変調信号の後に付加されたフレームタイミングを表す同期語データと、該第２無線フレームに含まれる送信元装置および送信先装置を表す識別子データとのうちの該無変調信号に基づいて呼び出し信号の着信とキャリア周波数偏差とを検出するラインエンハンサと、 、
該ラインエンハンサにおける該呼び出し信号の着信の検出により起動され、該第２無線フレームに含まれる該同期語データと該識別子データとに基づいて該第２無線フレームが自局宛又は他局宛を判定する復調判定部とをそなえて構成されたことを特徴とする、送受信装置。
【０１９９】
（付記１６）  対向送受信装置に対して第１無線フレームを送信する送信装置と該対向送受信装置が送信した第２無線フレームを受信する受信装置とをそなえた無線通信システムであって、
該送信装置が、
フレームタイミングを表す第１同期語データを少なくとも含むデータを送信シンボルに変換し該送信シンボルを複素平面にマッピングするマッピング部と、
該マッピング部にてマッピングされた該送信シンボルの該第１無線フレーム内部における位置を認識し、該送信シンボルの出力又は停止を表すオンオフ信号を出力するデータ位置認識部と、
該データ位置認識部から出力されるオンオフ信号に基づいて生成した第１無変調信号の後に、該マッピング部にてマッピングされた該第１同期語データを変調した同期語変調信号を付加した第１変調信号を出力する変調部と、
該変調部から出力される第１変調信号を含む該第１無線フレームを送信する送信部とをそなえるとともに、
該受信装置が、
該第２無線フレームに含まれる第２無変調信号と、該第２無変調信号の後に付加されたフレームタイミングを表す同期語データと、該第２無線フレームに含まれる送信元装置および送信先装置を表す識別子データとのうちの該無変調信号に基づいて呼び出し信号の着信とキャリア周波数偏差とを検出するラインエンハンサと、
該ラインエンハンサにおける該呼び出し信号の着信の検出により起動され、該第２無線フレームに含まれる該同期語データと該識別子データとに基づいて該第２無線フレームが自局宛又は他局宛を判定する復調判定部とをそなえて構成されたことを特徴とする、無線通信システム。
【０２００】
（付記１７）  該受信装置が、該ラインエンハンサにて受信された該第２無線フレームに含まれる複数のシンボルの電力値を該複数のシンボルの個数に起因する時間中積分して得たシンボル電力値データを該復調判定部に入力するベクトル加算部をそなえ、
該ベクトル加算部が、
該ラインエンハンサにて受信された該第２無線フレームに起因する中間信号の出力タイミングを調整するとともに、該同期語データおよび該識別子データと、送信固定パタンデータと同一の受信固定パタンデータとを加算した加算データを該復調判定部に入力するように構成されたことを特徴とする、付記１６記載の無線通信システム。
【０２０１】
（付記１８）  無線フレームを受信する受信装置における呼び出し信号の受信方法であって、
該無線フレームに含まれる無変調信号に基づいて該呼び出し信号の着信を検出し、
該無変調信号の後に付加されたフレームタイミングを表す第２同期語データの有無を判定し、
該無線フレームに含まれる送信元装置および送信先装置を表す識別子データに基づいて該無線フレームが自局宛又は他局宛を判定することを特徴とする、呼び出し信号の受信方法。
【０２０２】
（付記１９）  無線フレームを送信する送信装置における呼び出し信号の送信方法であって、
フレームタイミングを表す同期語データを少なくとも含むデータが変換された送信シンボルを複素平面にマッピングし、
マッピングされた該送信シンボルの該無線フレーム内部における位置を認識し該送信シンボルの出力又は停止を表すオンオフ信号を出力し、
出力された該オンオフ信号に基づいて生成した無変調信号の後に、マッピングされた該同期語データを変調した同期語変調信号を付加した変調信号を出力し、
出力された該変調信号を含む該無線フレームを送信することを特徴とする、呼び出し信号の送信方法。
【図面の簡単な説明】
【０２０３】
【図１】本発明の第１実施形態に係る無線通信システムの構成図である。
【図２】本発明の第１実施形態に係る基地局のブロック図である。
【図３】本発明の第１実施形態に係る送信装置のブロック図である。
【図４】（ａ）は本発明の第１実施形態に係る変調部の第２の変形構成を示すブロック図であり、（ｂ）は本発明の第１実施形態に係る拡散変調部のブロック図の一例である。
【図５】（ａ），（ｂ）はそれぞれ本発明の第１実施形態に係る呼び出し信号のフレームフォーマット例を示す図である。
【図６】本発明の第１実施形態に係る移動端末のブロック図である。
【図７】本発明の第１実施形態に係る受信装置のブロック図である。
【図８】本発明の第１実施形態に係るラインエンハンサのブロック図である。
【図９】本発明の第１実施形態の変形例に係る移動端末のブロック図である。
【図１０】本発明の第１実施形態の変形例に係る基地局のブロック図である。
【図１１】本発明の第２実施形態に係る送信装置のブロック図である。
【図１２】本発明の第２実施形態に係る受信装置のブロック図である。
【図１３】（ａ）は本発明の第２実施形態に係る受信シンボル例を示す図であり、（ｂ）はベクトル加算を説明するための図である。
【図１４】本発明の第２実施形態に係る受信シンボル点を説明するための図である。
【図１５】（ａ）〜（ｄ）はいずれも本発明の第２実施形態に係る受信装置における受信処理を説明するためのタイムチャートである。
【図１６】本発明の第３実施形態に係る送信装置のブロック図である。
【図１７】本発明の第３実施形態に係る受信装置のブロック図である。
【図１８】本発明の第３実施形態に係るシンボル遷移を説明するための図である。
【図１９】本発明の第３実施形態に係るシンボルタイミングを説明するための図である。
【図２０】本発明の第３実施形態の変形例に係る送信装置のブロック図である。
【図２１】本発明の第３実施形態の変形例に係る受信装置のブロック図である。
【図２２】移動端末のブロック図である。
【符号の説明】
【０２０４】
８，８ａ，８ｂ，８ｃ    受信装置
９，９ａ，９ｂ    送信装置
１０，４１，４１ａ，４１ｂ    変調部
１０ａ    変調信号／無変調信号生成部
１０ｂ    マッピング部
１０ｃ    フレームカウンタ（データ位置認識部）
１１ａ，１１ｂ    Ｄ／Ａ変換部
１２ａ，１２ｂ    ローパスフィルタ
１３ａ，１３ｂ    ミキサ
１３ｃ    ＶＣＯ
１５    加算部
１６ａ    送信部
１６ｂ    受信部
１７ａ，１７ｂ    ＬＥＦＤ部（ラインエンハンサ）
１９，１９ａ    ベクトル加算部
２０    復調判定部
２０ａ    周波数再生部
２０ｂ    同期語検出部
２０ｃ    逆マッピング部
２０ｄ    ビットタイミングリカバリ
２０ｅ    フレームカウンタ
２０ｆ    ＩＤ検出部
２０ｇ    同期語／ビットタイミング検出部
３０    バンドパスフィルタ（ＩＩＲ−ＢＰＦ）
３０ａ    遅延部
３０ｂ    第１アンプ
３０ｄ    乗算器
３１ａ，３１ｂ    Ａ／Ｄ変換部
３３    保持部
３３ａ    同期語メモリ
３３ｂ    挿入ＩＤメモリ
３４  送信系
３５  受信系
４０    周波数判定部
４０ａ    複素演算部
４０ｂ    正規化処理部
４２ａ，４２ｂ    拡散符号出力部
４５    マイク
４６    スピーカ
４７    表示部
５０    平滑化部
５０ａ    第２アンプ
５０ｂ    第３アンプ
６０    検出部（補正部）
６０ａ    絶対値計算部
６０ｂ    閾値判定部（信号検出部）
６０ｃ    推定部
７０，７０ａ    移動端末
７１，７１ａ    基地局（対向送受信装置）
７３    回線・パケット交換機
７３ａ    基地局制御装置
７４    公衆網
７４ａ    加入者端末
７５    インターネット
７５ａ    サーバ
８０，８０ａ，８０ｂ，８０ｃ    移動通信システム
１０１ａ    エンコーダ
１０１ｂ    デコーダ
１０８    高電力増幅器
１０９    デュプレクサ
１１０ａ，１１０ｂ    アンテナ
１１１    低ノイズ増幅器
１１７    受信処理部
１１８    送信処理部
１１９    音声回路部
【図１】
2005130296.tif 000014
【図２】
2005130296.tif 000015
【図３】
2005130296.tif 000016
【図４】
2005130296.tif 000017
【図５】
2005130296.tif 000018
【図６】
2005130296.tif 000019
【図７】
2005130296.tif 000020
【図８】
2005130296.tif 000021
【図９】
2005130296.tif 000022
【図１０】
2005130296.tif 000023
【図１１】
2005130296.tif 000024
【図１２】
2005130296.tif 000025
【図１３】
2005130296.tif 000026
【図１４】
2005130296.tif 000027
【図１５】
2005130296.tif 000028
【図１６】
2005130296.tif 000029
【図１７】
2005130296.tif 000030
【図１８】
2005130296.tif 000031
【図１９】
2005130296.tif 000032
【図２０】
2005130296.tif 000033
【図２１】
2005130296.tif 000034
【図２２】
2005130296.tif 000035